(57)【要約】【課題】安定した書込み放電を発生させる。【解決手段】ＡＰＬ検出回路４９と部分点灯率検出回路４７とを備え、走査電極駆動回路４３は、初期化期間にのみ初期化波形を発生する１相駆動と、書込み期間にも初期化波形を発生する２相駆動とのいずれかを選択的に行い、かつ、書込み期間では、部分点灯率が大きい領域ほど初期化動作から書込み動作までの経過時間が短くなるような順番で各領域を走査するランダムスキャンを行い、ＡＰＬ検出回路４９において平均輝度レベルは閾値以上と判断されたときには、輝度重みの最も大きいサブフィールドを含む１つ以上のサブフィールドにおいて２相駆動を行うとともにランダムスキャンを行い、平均輝度レベルは閾値未満と判断されたときには、上述した１つ以上のサブフィールドのうち少なくとも輝度重みの最も大きいサブフィールドにおいて２相駆動を１相駆動に変更する。【選択図】図２０
2010107806.tif 000002
【特許請求の範囲】
【請求項１】
初期化期間と書込み期間と維持期間とを有するサブフィールドを１フィールド内に複数設け、サブフィールド毎に輝度重みを設定するとともに前記維持期間に輝度重みに応じた数の維持パルスを発生して階調表示するサブフィールド法で駆動し、走査電極と維持電極とからなる表示電極対を有する放電セルを複数備えたプラズマディスプレイパネルと、
前記初期化期間には初期化波形を発生して前記放電セルを初期化し、前記書込み期間には走査パルスを発生し前記走査電極に順次印加して前記走査電極を走査する走査電極駆動回路と、
表示画像の平均輝度レベルを検出し、あらかじめ定めた閾値と比較するＡＰＬ検出回路と、
前記プラズマディスプレイパネルの表示領域を複数の領域に分け、前記領域のそれぞれにおいて、放電セル数に対する点灯させるべき放電セル数の割合を部分点灯率としてサブフィールド毎に検出する部分点灯率検出回路とを備え、
前記走査電極駆動回路は、
前記初期化期間にのみ前記初期化波形を発生する１相駆動と、前記初期化期間に加え前記書込み期間にも前記初期化波形を発生する２相駆動とのいずれかを選択的に行い、かつ、前記書込み期間では、前記部分点灯率が大きい領域ほど前記初期化動作から書込み動作までの経過時間が短くなるような順番で前記領域を前記走査するランダムスキャンを行い、
前記ＡＰＬ検出回路において前記平均輝度レベルは前記閾値以上と判断されたときには、前記輝度重みの最も大きいサブフィールドを含む１つ以上のサブフィールドにおいて前記２相駆動を行うとともに前記ランダムスキャンを行い、
前記ＡＰＬ検出回路において前記平均輝度レベルは前記閾値未満と判断されたときには、前記１つ以上のサブフィールドのうち少なくとも前記輝度重みの最も大きいサブフィールドにおいて前記２相駆動を前記１相駆動に変更することを特徴とするプラズマディスプレイ装置。
【請求項２】
前記ＡＰＬ検出回路において検出される前記平均輝度レベルに応じて、前記維持期間に発生する維持パルスの数を変更することを特徴とする請求項１に記載のプラズマディスプレイ装置。
【請求項３】
走査電極と維持電極とからなる表示電極対を有する放電セルを複数備えたプラズマディスプレイパネルを、初期化期間と書込み期間と維持期間とを有するサブフィールドを１フィールド内に複数設け、サブフィールド毎に輝度重みを設けるとともに、前記初期化期間には初期化波形を発生し前記走査電極に印加して前記放電セルを初期化し、前記書込み期間においては走査パルスを発生し前記走査電極に順次印加して前記走査電極を走査し、前記維持期間においては輝度重みに応じた数の維持パルスを発生して階調表示するサブフィールド法で駆動するプラズマディスプレイパネルの駆動方法であって、
表示画像の平均輝度レベルを検出してあらかじめ定めた閾値と比較し、
前記プラズマディスプレイパネルの表示領域を複数の領域に分け、前記領域のそれぞれにおいて、放電セル数に対する点灯させるべき放電セル数の割合を部分点灯率としてサブフィールド毎に検出し、
前記初期化期間にのみ前記初期化波形を発生する１相駆動と、前記初期化期間に加え前記書込み期間にも前記初期化波形を発生する２相駆動とのいずれかを選択的に行い、かつ、前記書込み期間では、前記部分点灯率が大きい領域ほど前記初期化動作から書込み動作までの経過時間が短くなるような順番で前記領域を前記走査するランダムスキャンを行い、
前記平均輝度レベルは前記閾値以上と判断されたときには、前記輝度重みの最も大きいサブフィールドを含む１つ以上のサブフィールドにおいて前記２相駆動を行うとともに前記ランダムスキャンを行い、
前記平均輝度レベルは前記閾値未満と判断されたときには、前記１つ以上のサブフィールドのうち少なくとも前記輝度重みの最も大きいサブフィールドにおいて前記２相駆動を前記１相駆動に変更することを特徴とするプラズマディスプレイパネルの駆動方法。
【発明の詳細な説明】
【技術分野】
【０００１】
本発明は、壁掛けテレビや大型モニターに用いられるプラズマディスプレイ装置およびプラズマディスプレイパネルの駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えば分圧比で５％のキセノンを含む放電ガスが封入されている。ここで表示電極対とデータ電極とが対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。
【０００３】
パネルを駆動する方法としては一般にサブフィールド法が用いられている。サブフィールド法では、１フィールドを複数のサブフィールドに分割し、それぞれのサブフィールドで各放電セルを発光または非発光させることにより階調表示を行う。各サブフィールドは、初期化期間、書込み期間および維持期間を有する。
【０００４】
初期化期間では、各走査電極に初期化波形を印加し、各放電セルで初期化放電を発生させる。それにより、続く書込み動作のために必要な壁電荷を各放電セルに形成するとともに、書込み放電を安定して発生させるためのプライミング粒子（書込み放電を発生させるための励起粒子）を発生させる。
【０００５】
書込み期間では、走査電極に順次走査パルスを印加（以下、この動作を「走査」とも記す）するとともに、データ電極には表示すべき画像信号に対応した書込みパルスを選択的に印加する（以下、これらの動作を総称して「書込み」とも記す）。それにより、走査電極とデータ電極との間で選択的に書込み放電を発生させ、選択的に壁電荷を形成する。
【０００６】
維持期間では、表示させるべき輝度に応じた所定の回数の維持パルスを走査電極と維持電極とからなる表示電極対に交互に印加する。それにより、書込み放電による壁電荷形成が行われた放電セルで選択的に維持放電を発生させ、その放電セルを発光させる。このようにして、パネルの表示領域に画像を表示する。
【０００７】
このサブフィールド法では、例えば、複数のサブフィールドのうち、１つのサブフィールドの初期化期間においては全ての放電セルを放電させる全セル初期化動作を行い、他のサブフィールドの初期化期間においては維持放電を行った放電セルに対して選択的に初期化放電を行う選択初期化動作を行うことで、階調表示に関係しない発光を極力減らしコントラスト比を向上させることが可能である。
【０００８】
一方、近年では、パネルの大画面化、高輝度化にともない、パネルにおける消費電力が増大する傾向にある。また、大画面化、高精細化されたパネルではパネル駆動時の負荷が増大するため放電が不安定になりやすい。放電を安定に発生させるためには、電極に印加する駆動電圧を上げればよいが、これは、消費電力をさらに増大させる一因となる。また、駆動電圧を高くしたり、消費電力が増大したりして駆動回路を構成する部品の定格値を超えると、回路が誤動作するおそれも生じる。
【０００９】
例えば、データ電極駆動回路は、書込みパルス電圧をデータ電極に印加して放電セルで書込み放電を発生させる書込み動作を行うが、書込み時の消費電力がデータ電極駆動回路を構成するＩＣの定格値を超えるとそのＩＣが誤動作し、書込み放電を発生させるべき放電セルで書込み放電が発生しない、あるいは書込み放電を発生させるべきでない放電セルで書込み放電が発生するといった書込み不良が発生するおそれがある。そこで、書込み時の消費電力を抑えるために、表示すべき画像信号にもとづきデータ電極駆動回路の消費電力を予測して、その予測値が設定値以上になると階調を制限する方法が開示されている（例えば、特許文献１参照）。
【特許文献１】特開２０００−６６６３８号公報
【発明の開示】
【発明が解決しようとする課題】
【００１０】
書込み期間では、上述したように、走査電極への走査パルス電圧の印加およびデータ電極への書込みパルス電圧の印加によって書込み放電を発生させる。そのため、特許文献１に開示されたデータ電極駆動回路の動作を安定化させる技術だけでは、安定した書込みを行うことは難しく、走査電極を駆動する回路（走査電極駆動回路）における動作の安定化を図る技術も重要となる。
【００１１】
また、書込み期間における走査電極への走査パルス電圧の印加は各走査電極に対して順次行われるため、特に高精細化されたパネルにおいては、走査電極数の増加によって書込み期間に費やす時間が長くなってしまう。そのため、書込み期間の最後の方に書込みがなされる放電セルでは書込み期間の最初の方に書込みがなされる放電セルに比べて、壁電荷の消失が増え、書込み放電が不安定になりやすいといった問題もあった。
【００１２】
本発明は、これらの課題に鑑みなされたものであり、大画面化、高精細化されたパネルにおいても、安定した書込み放電を発生させるために必要な走査パルス電圧（振幅）が増大することを防止して安定した書込み放電を発生させ、高い画像表示品質を実現することが可能なプラズマディスプレイ装置およびパネルの駆動方法を提供することを目的とする。
【課題を解決するための手段】
【００１３】
本発明のプラズマディスプレイ装置は、初期化期間と書込み期間と維持期間とを有するサブフィールドを１フィールド内に複数設け、サブフィールド毎に輝度重みを設定するとともに維持期間に輝度重みに応じた数の維持パルスを発生して階調表示するサブフィールド法で駆動し、走査電極と維持電極とからなる表示電極対を有する放電セルを複数備えたパネルと、初期化期間には初期化波形を発生して放電セルを初期化し、書込み期間には走査パルスを発生し走査電極に順次印加して走査電極を走査する走査電極駆動回路と、表示画像の平均輝度レベルを検出し、あらかじめ定めた閾値と比較するＡＰＬ検出回路と、パネルの表示領域を複数の領域に分け、それらの領域のそれぞれにおいて、放電セル数に対する点灯させるべき放電セル数の割合を部分点灯率としてサブフィールド毎に検出する部分点灯率検出回路とを備え、走査電極駆動回路は、初期化期間にのみ初期化波形を発生する１相駆動と、初期化期間に加え書込み期間にも初期化波形を発生する２相駆動とのいずれかを選択的に行い、かつ、書込み期間では、部分点灯率が大きい領域ほど初期化動作から書込み動作までの経過時間が短くなるような順番で各領域を走査するランダムスキャンを行い、ＡＰＬ検出回路において平均輝度レベルは閾値以上と判断されたときには、輝度重みの最も大きいサブフィールドを含む１つ以上のサブフィールドにおいて２相駆動を行うとともにランダムスキャンを行い、ＡＰＬ検出回路において平均輝度レベルは閾値未満と判断されたときには、上述した１つ以上のサブフィールドのうち少なくとも輝度重みの最も大きいサブフィールドにおいて２相駆動を１相駆動に変更することを特徴とする。
【００１４】
これにより、ランダムスキャンを行うことで、部分点灯率が高い領域ほど初期化動作から書込み動作までの経過時間を短くして書込みを行うことができ、また、２相駆動を行うことで、初期化動作から書込み動作までの経過時間を短くすることができる領域を増やすことができる。したがって、ランダムスキャンと２相駆動とを組み合わせて行うことで、それらの相乗効果を得ることができ、安定した書込み放電を発生させるために必要な走査パルス電圧（振幅）が増大することを防止して安定した書込み放電を発生させることが可能となる。また、ＡＰＬ検出回路において平均輝度レベルは閾値未満と判断される画像を表示するときには、ＡＰＬ検出回路において平均輝度レベルは閾値以上と判断される画像を表示するときに２相駆動を行うサブフィールドのうち、少なくとも輝度重みの最も大きいサブフィールドにおいて、２相駆動を１相駆動に変更することで、１枚の画像を表示するのに費やす時間を２相駆動を行うときよりも短縮することができ、かつランダムスキャンにより、安定した書込み放電を発生させるために必要な走査パルス電圧（振幅）が増大することを防止して安定した書込み放電を発生させることが可能となる。
【００１５】
また、このプラズマディスプレイ装置においては、ＡＰＬ検出回路において検出される平均輝度レベルに応じて、維持期間に発生する維持パルスの数を変更する構成であってもよい。このように、画像信号の平均輝度レベルに応じて維持パルスの発生数を変化させる構成では、平均輝度レベルが低い画像を表示するときに、維持期間に発生する維持パルスの数を多くすることで画像をより明るく表示することができ、画像表示品質を向上させることができる。このとき、維持パルスが増えることで駆動時間が増加したとしても、その駆動時間の増加分を、少なくとも輝度重みの最も大きいサブフィールドにおいて２相駆動を１相駆動に変更することで補うことが可能となる。これにより、１枚の画像を表示するのに費やす時間が１フィールドに収まらなくなるといった問題が発生するのを防止しつつ、ランダムスキャンにより、安定した書込み放電を発生させるために必要な走査パルス電圧（振幅）が増大することを防止して安定した書込み放電を発生させることが可能となる。
【００１６】
また、本発明のパネルの駆動方法は、走査電極と維持電極とからなる表示電極対を有する放電セルを複数備えたパネルを、初期化期間と書込み期間と維持期間とを有するサブフィールドを１フィールド内に複数設け、サブフィールド毎に輝度重みを設けるとともに、初期化期間には初期化波形を発生し走査電極に印加して放電セルを初期化し、書込み期間においては走査パルスを発生し走査電極に順次印加して走査電極を走査し、維持期間においては輝度重みに応じた数の維持パルスを発生して階調表示するサブフィールド法で駆動するパネルの駆動方法であって、表示画像の平均輝度レベルを検出してあらかじめ定めた閾値と比較し、パネルの表示領域を複数の領域に分け、それらの領域のそれぞれにおいて、放電セル数に対する点灯させるべき放電セル数の割合を部分点灯率としてサブフィールド毎に検出し、初期化期間にのみ初期化波形を発生する１相駆動と、初期化期間に加え書込み期間にも初期化波形を発生する２相駆動とのいずれかを選択的に行い、かつ、書込み期間では、部分点灯率が大きい領域ほど初期化動作から書込み動作までの経過時間が短くなるような順番で各領域を走査するランダムスキャンを行い、平均輝度レベルは閾値以上と判断されたときには、輝度重みの最も大きいサブフィールドを含む１つ以上のサブフィールドにおいて２相駆動を行うとともにランダムスキャンを行い、平均輝度レベルは閾値未満と判断されたときには、上述した１つ以上のサブフィールドのうち少なくとも輝度重みの最も大きいサブフィールドにおいて２相駆動を１相駆動に変更することを特徴とする。
【００１７】
これにより、ランダムスキャンを行うことで、部分点灯率が高い領域ほど初期化動作から書込み動作までの経過時間を短くして書込みを行うことができ、また、２相駆動を行うことで、初期化動作から書込み動作までの経過時間を短くすることができる領域を増やすことができる。したがって、ランダムスキャンと２相駆動とを組み合わせて行うことで、それらの相乗効果を得ることができ、安定した書込み放電を発生させるために必要な走査パルス電圧（振幅）が増大することを防止して安定した書込み放電を発生させることが可能となる。また、ＡＰＬ検出回路において平均輝度レベルは閾値未満と判断される画像を表示するときには、ＡＰＬ検出回路において平均輝度レベルは閾値以上と判断される画像を表示するときに２相駆動を行うサブフィールドのうち、少なくとも輝度重みの最も大きいサブフィールドにおいて、２相駆動を１相駆動に変更することで、１枚の画像を表示するのに費やす時間を２相駆動を行うときよりも短縮することができる。これにより、例えば画像表示品質を高めるために画像信号の平均輝度レベルに応じて維持パルスの発生数を変化させる構成であっても、１枚の画像を表示するために費やす時間が増加するのを抑制しつつ、安定した書込み放電を発生させるために必要な走査パルス電圧（振幅）が増大することを防止して安定した書込み放電を発生させることが可能となる。
【発明の効果】
【００１８】
本発明によれば、大画面化、高精細化されたパネルにおいても、安定した書込み放電を発生させるために必要な走査パルス電圧（振幅）が増大することを防止して安定した書込み放電を発生させ、高い画像表示品質を実現することができるプラズマディスプレイ装置およびパネルの駆動方法を提供することが可能となる。
【発明を実施するための最良の形態】
【００１９】
以下、本発明の実施の形態におけるプラズマディスプレイ装置について、図面を用いて説明する。
【００２０】
（実施の形態１）
図１は、本発明の実施の形態１におけるパネル１０の構造を示す分解斜視図である。ガラス製の前面板２１上には、走査電極２２と維持電極２３とからなる表示電極対２４が複数形成されている。そして走査電極２２と維持電極２３とを覆うように誘電体層２５が形成され、その誘電体層２５上に保護層２６が形成されている。
【００２１】
また、保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れたＭｇＯを主成分とする材料から形成されている。
【００２２】
背面板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００２３】
これら前面板２１と背面板３１とは、微小な放電空間をはさんで表示電極対２４とデータ電極３２とが交差するように対向配置され、その外周部をガラスフリット等の封着材によって封着されている。そして、内部の放電空間には、ネオンとキセノンの混合ガスが放電ガスとして封入されている。なお、本実施の形態では、発光効率を向上させるためにキセノン分圧を約１０％とした放電ガスを用いている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００２４】
なお、パネル１０の構造は上述したものに限られるわけではなく、例えばストライプ状の隔壁を備えたものであってもよい。また、放電ガスの混合比率も上述した数値に限られるわけではなく、その他の混合比率であってもよい。
【００２５】
図２は、本発明の実施の形態１におけるパネル１０の電極配列図である。パネル１０には、行方向に長いｎ本の走査電極ＳＣ１〜走査電極ＳＣｎ（図１の走査電極２２）およびｎ本の維持電極ＳＵ１〜維持電極ＳＵｎ（図１の維持電極２３）が配列され、列方向に長いｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。そして、ｍ×ｎ個の放電セルが形成された領域がパネル１０の表示領域となる。
【００２６】
次に、パネル１０を駆動するための駆動電圧波形とその動作の概要について説明する。なお、本実施の形態におけるプラズマディスプレイ装置は、サブフィールド法、すなわち１フィールドを時間軸上で複数のサブフィールドに分割し、各サブフィールドに輝度重みをそれぞれ設定し、サブフィールド毎に各放電セルの発光・非発光を制御することによって階調表示を行うものとする。
【００２７】
このサブフィールド法では、例えば、１フィールドを８つのサブフィールド（第１ＳＦ、第２ＳＦ、・・・、第８ＳＦ）で構成し、各サブフィールドはそれぞれ１、２、４、８、１６、３２、６４、１２８の輝度重みを有する構成とすることができる。また、複数のサブフィールドのうち、１つのサブフィールドの初期化期間においては全ての放電セルに初期化放電を発生させる全セル初期化動作を行い（以下、全セル初期化動作を行うサブフィールドを「全セル初期化サブフィールド」と呼称する）、他のサブフィールドの初期化期間においては維持放電を行った放電セルに対して選択的に初期化放電を発生させる選択初期化動作を行う（以下、選択初期化動作を行うサブフィールドを「選択初期化サブフィールド」と呼称する）ことで、階調表示に関係しない発光を極力減らしコントラスト比を向上させることが可能である。
【００２８】
そして、本実施の形態では、第１ＳＦの初期化期間では全セル初期化動作を行い、第２ＳＦ〜第８ＳＦの初期化期間では選択初期化動作を行うものとする。これにより、画像の表示に関係のない発光は第１ＳＦにおける全セル初期化動作の放電にともなう発光のみとなり、維持放電を発生させない黒表示領域の輝度である黒輝度は全セル初期化動作における微弱発光だけとなって、コントラストの高い画像表示が可能となる。また、各サブフィールドの維持期間においては、それぞれのサブフィールドの輝度重みに所定の比例定数を乗じた数の維持パルスを表示電極対２４のそれぞれに印加する。このときの比例定数が輝度倍率である。
【００２９】
しかし、本実施の形態は、サブフィールド数や各サブフィールドの輝度重みが上記の値に限定されるものではなく、また、画像信号等にもとづいてサブフィールド構成を切換える構成であってもよい。
【００３０】
図３は、本発明の実施の形態１におけるパネル１０の各電極に印加する駆動電圧波形図である。図３には、書込み期間において最初に走査を行う走査電極ＳＣ１、書込み期間において最後に走査を行う走査電極ＳＣｎ、維持電極ＳＵ１〜維持電極ＳＵｎ、およびデータ電極Ｄ１〜データ電極Ｄｍの駆動波形を示す。
【００３１】
また、図３には、２つのサブフィールドの駆動電圧波形、すなわち全セル初期化サブフィールドである第１サブフィールド（第１ＳＦ）と、選択初期化サブフィールドである第２サブフィールド（第２ＳＦ）とを示す。なお、他のサブフィールドにおける駆動電圧波形は、維持期間における維持パルスの発生数が異なる以外は第２ＳＦの駆動電圧波形とほぼ同様である。また、以下における走査電極ＳＣｉ、維持電極ＳＵｉ、データ電極Ｄｋは、各電極の中から画像データ（サブフィールド毎の発光・非発光を示すデータ）にもとづき選択された電極を表す。
【００３２】
まず、全セル初期化サブフィールドである第１ＳＦについて説明する。
【００３３】
第１ＳＦの初期化期間前半部では、データ電極Ｄ１〜データ電極Ｄｍ、維持電極ＳＵ１〜維持電極ＳＵｎにそれぞれ０（Ｖ）を印加し、走査電極ＳＣ１〜走査電極ＳＣｎには、維持電極ＳＵ１〜維持電極ＳＵｎに対して放電開始電圧以下の電圧Ｖｉ１から、放電開始電圧を超える電圧Ｖｉ２に向かって緩やかに（例えば、約１．３Ｖ／μｓｅｃの勾配で）上昇する傾斜電圧（以下、「上りランプ電圧」と呼称する）Ｌ１を印加する。
【００３４】
この上りランプ電圧Ｌ１が上昇する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間でそれぞれ微弱な初期化放電が持続して起こる。そして、走査電極ＳＣ１〜走査電極ＳＣｎ上部に負の壁電圧が蓄積されるとともに、データ電極Ｄ１〜データ電極Ｄｍ上部および維持電極ＳＵ１〜維持電極ＳＵｎ上部には正の壁電圧が蓄積される。この電極上部の壁電圧とは、電極を覆う誘電体層上、保護層上、蛍光体層上等に蓄積された壁電荷により生じる電圧を表す。
【００３５】
初期化期間後半部では、維持電極ＳＵ１〜維持電極ＳＵｎには正の電圧Ｖｅ１を印加し、データ電極Ｄ１〜データ電極Ｄｍには０（Ｖ）を印加し、走査電極ＳＣ１〜走査電極ＳＣｎには、維持電極ＳＵ１〜維持電極ＳＵｎに対して放電開始電圧以下となる電圧Ｖｉ３から放電開始電圧を超える電圧Ｖｉ４に向かって緩やかに下降する傾斜電圧（以下、「下りランプ電圧」と呼称する）Ｌ２を印加する。
【００３６】
この間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間でそれぞれ微弱な初期化放電が起こる。そして、走査電極ＳＣ１〜走査電極ＳＣｎ上部の負の壁電圧および維持電極ＳＵ１〜維持電極ＳＵｎ上部の正の壁電圧が弱められ、データ電極Ｄ１〜データ電極Ｄｍ上部の正の壁電圧は書込み動作に適した値に調整される。以上により、全ての放電セルに対して初期化放電を行う全セル初期化動作が終了する。
【００３７】
なお、図３の第２ＳＦの初期化期間に示したように、初期化期間の前半部を省略した駆動電圧波形を各電極に印加してもよい。すなわち、維持電極ＳＵ１〜維持電極ＳＵｎに電圧Ｖｅ１を、データ電極Ｄ１〜データ電極Ｄｍに０（Ｖ）をそれぞれ印加し、走査電極ＳＣ１〜走査電極ＳＣｎに放電開始電圧以下となる電圧（例えば、接地電位）から電圧Ｖｉ４に向かって緩やかに下降する下りランプ電圧Ｌ４を印加する。これにより直前のサブフィールド（図３では、第１ＳＦ）の維持期間で維持放電を起こした放電セルでは微弱な初期化放電が発生し、走査電極ＳＣｉ上部および維持電極ＳＵｉ上部の壁電圧が弱められ、データ電極Ｄｋ（ｋ＝１〜ｍ）上部の壁電圧も、過剰な部分が放電され、書込み動作に適した値に調整される。一方、直前のサブフィールドで維持放電を起こさなかった放電セルについては放電することはなく、直前のサブフィールドの初期化期間終了時における壁電荷がそのまま保たれる。このように前半部を省略した初期化動作は、直前のサブフィールドの維持期間で維持動作を行った放電セルに対して初期化放電を行う選択初期化動作となる。
【００３８】
続く書込み期間では、走査電極ＳＣ１〜走査電極ＳＣｎに対しては順次走査パルス電圧Ｖａを印加し、データ電極Ｄ１〜データ電極Ｄｍに対しては発光させるべき放電セルに対応するデータ電極Ｄｋ（ｋ＝１〜ｍ）に正の書込みパルス電圧Ｖｄを印加して、各放電セルに選択的に書込み放電を発生させる。このとき、本実施の形態では、後述する部分点灯率検出回路における検出結果にもとづき走査パルス電圧Ｖａを印加する走査電極２２の順番、または走査電極２２を駆動するＩＣの書込み動作の順序を変更している。この詳細については後述するが、ここでは、走査電極ＳＣ１から順に走査パルス電圧Ｖａを印加するものとして説明を行う。
【００３９】
書込み期間では、まず維持電極ＳＵ１〜維持電極ＳＵｎに電圧Ｖｅ２を、走査電極ＳＣ１〜走査電極ＳＣｎに電圧Ｖｃを印加する。
【００４０】
そして、１行目の走査電極ＳＣ１に負の走査パルス電圧Ｖａを印加するとともに、データ電極Ｄ１〜データ電極Ｄｍのうち１行目に発光させるべき放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（電圧Ｖｄ−電圧Ｖａ）にデータ電極Ｄｋ上の壁電圧と走査電極ＳＣ１上の壁電圧との差が加算されたものとなり放電開始電圧を超える。これにより、データ電極Ｄｋと走査電極ＳＣ１との間に放電が発生する。また、維持電極ＳＵ１〜維持電極ＳＵｎに電圧Ｖｅ２を印加しているため、維持電極ＳＵ１上と走査電極ＳＣ１上との電圧差は、外部印加電圧の差である（電圧Ｖｅ２−電圧Ｖａ）に維持電極ＳＵ１上の壁電圧と走査電極ＳＣ１上の壁電圧との差が加算されたものとなる。このとき、電圧Ｖｅ２を、放電開始電圧をやや下回る程度の電圧値に設定することで、維持電極ＳＵ１と走査電極ＳＣ１との間を、放電には至らないが放電が発生しやすい状態とすることができる。これにより、データ電極Ｄｋと走査電極ＳＣ１との間に発生する放電を引き金にして、データ電極Ｄｋと交差する領域にある維持電極ＳＵ１と走査電極ＳＣ１との間に放電を発生させることができる。こうして、発光させるべき放電セルに書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００４１】
このようにして、１行目に発光させるべき放電セルで書込み放電を起こして各電極上に壁電圧を蓄積する書込み動作が行われる。一方、書込みパルス電圧Ｖｄを印加しなかったデータ電極Ｄ１〜データ電極Ｄｍと走査電極ＳＣ１との交差部の電圧は放電開始電圧を超えないので、書込み放電は発生しない。以上の書込み動作をｎ行目の放電セルに至るまで行い、書込み期間が終了する。
【００４２】
続く維持期間では、輝度重みに所定の輝度倍率を乗じた数の維持パルスを表示電極対２４に交互に印加して、書込み放電を発生した放電セルで維持放電を発生させて発光させる。
【００４３】
この維持期間では、まず走査電極ＳＣ１〜走査電極ＳＣｎに正の維持パルス電圧Ｖｓを印加するとともに維持電極ＳＵ１〜維持電極ＳＵｎにベース電位となる接地電位、すなわち０（Ｖ）を印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。
【００４４】
そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００４５】
続いて、走査電極ＳＣ１〜走査電極ＳＣｎにはベース電位となる０（Ｖ）を、維持電極ＳＵ１〜維持電極ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜走査電極ＳＣｎと維持電極ＳＵ１〜維持電極ＳＵｎとに交互に輝度重みに輝度倍率を乗じた数の維持パルスを印加し、表示電極対２４の電極間に電位差を与えることにより、書込み期間において書込み放電を起こした放電セルで維持放電が継続して行われる。
【００４６】
そして、維持期間における維持パルスの発生後に、走査電極ＳＣ１〜走査電極ＳＣｎに、０（Ｖ）から電圧Ｖｅｒｓに向かって緩やかに上昇する傾斜電圧（以下、「消去ランプ電圧」と呼称する）Ｌ３を印加する。これにより、維持放電を発生させた放電セルにおいて、微弱な放電を持続して発生させ、データ電極Ｄｋ上の正の壁電圧を残したまま、走査電極ＳＣｉおよび維持電極ＳＵｉ上の壁電圧の一部または全部を消去する。
【００４７】
具体的には、維持電極ＳＵ１〜維持電極ＳＵｎを０（Ｖ）に戻した後、ベース電位となる０（Ｖ）から放電開始電圧を超える電圧Ｖｅｒｓに向かって上昇する消去ランプ電圧Ｌ３を、上りランプ電圧Ｌ１よりも急峻な勾配（例えば、約１０Ｖ／μｓｅｃ）で発生させ、走査電極ＳＣ１〜走査電極ＳＣｎに印加する。すると、維持放電を起こした放電セルの維持電極ＳＵｉと走査電極ＳＣｉとの間で微弱な放電が発生する。そして、この微弱な放電は、走査電極ＳＣ１〜走査電極ＳＣｎへの印加電圧が上昇する期間、持続して発生する。そして、上昇する電圧があらかじめ定めた電圧Ｖｅｒｓに到達したら、走査電極ＳＣ１〜走査電極ＳＣｎに印加する電圧をベース電位となる０（Ｖ）まで下降させる。
【００４８】
このとき、この微弱な放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積されていく。これにより、データ電極Ｄｋ上の正の壁電荷を残したまま、走査電極ＳＣ１〜走査電極ＳＣｎ上と維持電極ＳＵ１〜維持電極ＳＵｎ上との間の壁電圧は、走査電極ＳＣｉに印加した電圧と放電開始電圧の差、すなわち（電圧Ｖｅｒｓ−放電開始電圧）の程度まで弱められる。以下、この消去ランプ電圧Ｌ３によって発生させる維持期間の最後の放電を「消去放電」と呼称する。
【００４９】
続く第２ＳＦ以降のサブフィールドの各動作は、維持期間の維持パルスの数を除いて上述の動作とほぼ同様であるため説明を省略する。以上が、本実施の形態におけるパネル１０の各電極に印加する駆動電圧波形の概要である。
【００５０】
次に、本実施の形態におけるプラズマディスプレイ装置１の構成について説明する。図４は、本発明の実施の形態１におけるプラズマディスプレイ装置１の回路ブロック図である。プラズマディスプレイ装置１は、パネル１０、画像信号処理回路４１、データ電極駆動回路４２、走査電極駆動回路４３、維持電極駆動回路４４、タイミング発生回路４５、部分点灯率検出回路４７、点灯率比較回路４８、および各回路ブロックに必要な電源を供給する電源回路（図示せず）を備えている。
【００５１】
画像信号処理回路４１は、入力された画像信号ｓｉｇをサブフィールド毎の発光・非発光を示す画像データに変換する。
【００５２】
部分点灯率検出回路４７は、パネル１０の表示領域を複数の領域に分け、サブフィールド毎の画像データにもとづき、領域毎かつサブフィールド毎に、各領域の放電セル数に対する点灯させるべき放電セル数の割合を検出する（以下、各領域毎に検出する点灯させるべき放電セル数の割合を「部分点灯率」と呼称する）。なお、部分点灯率検出回路４７は、例えば、１対の表示電極対２４における点灯率を部分点灯率として検出することもできるが、ここでは、走査電極２２を駆動するＩＣ（以下、「走査ＩＣ」と呼称する）の１つに接続された複数の走査電極２２で構成される領域を１つの領域として部分点灯率を検出するものとする。
【００５３】
点灯率比較回路４８は、部分点灯率検出回路４７で検出した各領域の部分点灯率の値を互いに比較し、値の大きい方から順に、どの領域が何番目の大きさになるのかを判別する。そして、その結果を表す信号をサブフィールド毎にタイミング発生回路４５に出力する。
【００５４】
タイミング発生回路４５は、水平同期信号Ｈ、垂直同期信号Ｖおよび点灯率比較回路４８からの出力にもとづき各回路ブロックの動作を制御する各種のタイミング信号を発生し、それぞれの回路ブロックへ供給する。
【００５５】
走査電極駆動回路４３は、初期化期間において走査電極ＳＣ１〜走査電極ＳＣｎに印加する初期化波形電圧を発生するための初期化波形発生回路（図示せず）、維持期間において走査電極ＳＣ１〜走査電極ＳＣｎに印加する維持パルスを発生するための維持パルス発生回路（図示せず）、複数の走査ＩＣを備え書込み期間において走査電極ＳＣ１〜走査電極ＳＣｎに印加する走査パルス電圧Ｖａを発生するための走査パルス発生回路５０を有する。そして、タイミング信号にもとづいて各走査電極ＳＣ１〜走査電極ＳＣｎをそれぞれ駆動する。このとき、本実施の形態では、部分点灯率が高い領域から先に書込みが行われるように走査ＩＣを順次切換えて書込み動作させている。これにより、安定した書込み放電を実現している。この詳細については後述する。
【００５６】
データ電極駆動回路４２は、サブフィールド毎の画像データを各データ電極Ｄ１〜データ電極Ｄｍに対応する信号に変換し、タイミング信号にもとづいて各データ電極Ｄ１〜データ電極Ｄｍを駆動する。なお、本実施の形態では、上述したように、書込みを行う順番がサブフィールド毎に変わる可能性があるため、タイミング発生回路４５は、データ電極駆動回路４２において走査ＩＣの書込み動作の順序にあわせて書込みパルス電圧Ｖｄが発生するようにタイミング信号を発生させている。これにより、表示画像に応じた正しい書込み動作を行うことができる。
【００５７】
維持電極駆動回路４４は、維持パルス発生回路および電圧Ｖｅ１、電圧Ｖｅ２を発生するための回路（図示せず）を備え、タイミング信号にもとづいて維持電極ＳＵ１〜維持電極ＳＵｎを駆動する。
【００５８】
次に、走査電極駆動回路４３の詳細とその動作について説明する。
【００５９】
図５は、本発明の実施の形態１におけるプラズマディスプレイ装置１の走査電極駆動回路４３の構成を示す回路図である。走査電極駆動回路４３は、走査パルス発生回路５０と、初期化波形発生回路５１と、走査電極２２側の維持パルス発生回路５２とを備え、走査パルス発生回路５０のそれぞれの出力はパネル１０の走査電極ＳＣ１〜走査電極ＳＣｎのそれぞれに接続されている。
【００６０】
初期化波形発生回路５１は、初期化期間において走査パルス発生回路５０の基準電位Ａをランプ状に上昇または降下させ、図３に示した初期化波形電圧を発生させる。
【００６１】
維持パルス発生回路５２は、走査パルス発生回路５０の基準電位Ａを電圧Ｖｓまたは接地電位にすることで、図３に示した維持パルスを発生させる。
【００６２】
走査パルス発生回路５０は、書込み期間において基準電位Ａを負の電圧Ｖａに接続するためのスイッチ７２と、電圧Ｖｃを与えるための電源ＶＣと、ｎ本の走査電極ＳＣ１〜走査電極ＳＣｎのそれぞれに走査パルス電圧Ｖａを印加するためのスイッチング素子ＱＨ１〜スイッチング素子ＱＨｎおよびスイッチング素子ＱＬ１〜スイッチング素子ＱＬｎを備えている。スイッチング素子ＱＨ１〜スイッチング素子ＱＨｎ、スイッチング素子ＱＬ１〜スイッチング素子ＱＬｎは複数の出力毎にまとめられＩＣ化されている。このＩＣが走査ＩＣである。そして、スイッチング素子ＱＨｉをオフ、スイッチング素子ＱＬｉをオンにすることにより、スイッチング素子ＱＬｉを経由して走査電極ＳＣｉに負の走査パルス電圧Ｖａを印加する。なお、以下の説明においては、スイッチング素子を導通させる動作を「オン」、遮断させる動作を「オフ」と表記し、スイッチング素子をオンさせる信号を「Ｈｉ」、オフさせる信号を「Ｌｏ」と表記する。
【００６３】
なお、初期化波形発生回路５１または維持パルス発生回路５２を動作させているときは、スイッチング素子ＱＨ１〜スイッチング素子ＱＨｎをオフ、スイッチング素子ＱＬ１〜スイッチング素子ＱＬｎをオンにすることにより、スイッチング素子ＱＬ１〜スイッチング素子ＱＬｎを経由して各走査電極ＳＣ１〜走査電極ＳＣｎに初期化波形電圧または維持パルス電圧Ｖｓを印加する。
【００６４】
なお、ここでは、９０本の出力分のスイッチング素子を１つのモノシリックＩＣとして集積し、パネル１０は１０８０本の走査電極２２を備えているものとして、以下の説明を行う。そして、１２個の走査ＩＣを用いて走査パルス発生回路５０を構成し、ｎ＝１０８０本の走査電極ＳＣ１〜走査電極ＳＣｎを駆動するものとする。このように多数のスイッチング素子ＱＨ１〜スイッチング素子ＱＨｎ、スイッチング素子ＱＬ１〜スイッチング素子ＱＬｎをＩＣ化することにより部品点数を削減し、実装面積を低減することができる。ただし、ここに挙げた数値は単なる一例であり、本発明は何らこれらの数値に限定されるものではない。
【００６５】
また、本実施の形態では、書込み期間において、タイミング発生回路４５から出力されるＳＩＤ（１）〜ＳＩＤ（１２）を走査ＩＣ（１）〜走査ＩＣ（１２）のそれぞれに入力している。このＳＩＤ（１）〜ＳＩＤ（１２）は、走査ＩＣに書込み動作を開始させるための動作開始信号であり、走査ＩＣ（１）〜走査ＩＣ（１２）は、ＳＩＤ（１）〜ＳＩＤ（１２）にもとづき書込み動作の順序が切換えられる。
【００６６】
例えば、走査電極ＳＣ１８１〜走査電極ＳＣ２７０に接続された走査ＩＣ（３）に書込み動作させた後に、走査電極ＳＣ９１〜走査電極ＳＣ１８０に接続された走査ＩＣ（２）に書込み動作させる場合は、次のような動作となる。
【００６７】
タイミング発生回路４５は、ＳＩＤ（３）をＬｏ（例えば、０（Ｖ））からＨｉ（例えば、５（Ｖ））に変化させ、走査ＩＣ（３）に書込み動作の開始を指示する。走査ＩＣ（３）は、ＳＩＤ（３）の電圧変化を検知し、これにより書込み動作を開始する。まず、スイッチング素子ＱＨ１８１をオフ、スイッチング素子ＱＬ１８１をオンにし、スイッチング素子ＱＬ１８１を経由して走査電極ＳＣ１８１に走査パルス電圧Ｖａを印加する。走査電極ＳＣ１８１での書込みが終了した後は、スイッチング素子ＱＨ１８１をオン、スイッチング素子ＱＬ１８１をオフにし、引き続き、スイッチング素子ＱＨ１８２をオフ、スイッチング素子ＱＬ１８２をオンにし、スイッチング素子ＱＬ１８２を経由して走査電極ＳＣ１８２に走査パルス電圧Ｖａを印加する。この一連の書込み動作を順次行い、走査電極ＳＣ１８１〜走査電極ＳＣ２７０に走査パルス電圧Ｖａを順次印加して、走査ＩＣ（３）は書込み動作を終了する。
【００６８】
走査ＩＣ（３）の書込み動作が終了した後、タイミング発生回路４５は、ＳＩＤ（２）をＬｏ（例えば、０（Ｖ））からＨｉ（例えば、５（Ｖ））に変化させ、走査ＩＣ（２）に書込み動作の開始を指示する。走査ＩＣ（２）は、ＳＩＤ（２）の電圧変化を検知し、これにより上述と同様の書込み動作を開始し、走査電極ＳＣ９１〜走査電極ＳＣ１８０に走査パルス電圧Ｖａを順次印加する。
【００６９】
本実施の形態では、このように、動作開始信号であるＳＩＤを用いて走査ＩＣの書込み動作の順序を制御することができる。
【００７０】
そして、本実施の形態では、上述したように、部分点灯率検出回路４７において検出される部分点灯率に応じて走査ＩＣの書込み動作の順序を決定し、部分点灯率が高い領域を駆動する走査ＩＣから先に書込み動作させる。これらの動作の一例を図面を用いて説明する。
【００７１】
図６は、本発明の実施の形態１における部分点灯率を検出する領域と走査ＩＣとの接続の一例を示す概略図である。図６は、パネル１０と走査ＩＣとの接続の様子を簡略的に表しており、パネル１０内に示す破線で囲まれた各領域は、それぞれ部分点灯率を検出する領域を表す。また、表示電極対２４は、図２と同様に、図面における左右方向に延長して配列されているものとする。
【００７２】
上述したように、部分点灯率検出回路４７は、１つの走査ＩＣに接続された複数の走査電極２２で構成される領域を１つの領域として部分点灯率を検出する。例えば、１つの走査ＩＣに接続される走査電極２２の数が９０本であり、走査電極駆動回路４３が備える走査ＩＣが１２個（走査ＩＣ（１）〜走査ＩＣ（１２））であれば、図６に示すように、部分点灯率検出回路４７は、走査ＩＣ（１）〜走査ＩＣ（１２）のそれぞれに接続された９０本の走査電極２２を１つの領域とし、パネル１０の表示領域を１２分割して各領域の部分点灯率を検出する。そして、点灯率比較回路４８は、部分点灯率検出回路４７で検出した部分点灯率の値を互いに比較し、値の大きい方から順に、各領域に対して順位付けを行う。そして、タイミング発生回路４５はその順位付けにもとづきタイミング信号を発生し、走査電極駆動回路４３は、そのタイミング信号により、部分点灯率が高い領域に接続された走査ＩＣから先に書込み動作させる。
【００７３】
図７は、本発明の実施の形態１における走査ＩＣ（１）〜走査ＩＣ（１２）の書込み動作の順序の一例を示す概略図である。なお、図７において、部分点灯率を検出する領域は図６に示した領域と同様であり、斜線で示した部分は維持放電を発生させない非点灯セルの分布を表し、斜線のない白抜きの部分は放電を発生させる点灯セルの分布を表すものとする。
【００７４】
例えば、あるサブフィールドにおいて、点灯セルが、図７に示したように分布している場合、最も部分点灯率が高い領域は走査ＩＣ（１２）が接続された領域（以下、走査ＩＣ（ｎ）に接続された領域を「領域（ｎ）」と表す）となり、次に部分点灯率が高い領域は走査ＩＣ（１０）が接続された領域（１０）となり、その次に部分点灯率が高い領域は走査ＩＣ（７）が接続された領域（７）となる。このとき、従来の書込み動作であれば、走査ＩＣ（１）から走査ＩＣ（２）、走査ＩＣ（３）へと順次書込み動作が切換えられ、最も部分点灯率が高い領域に接続された走査ＩＣ（１２）は最後に書込み動作が開始される。しかし、本実施の形態では、部分点灯率の高い領域の走査ＩＣから先に書込み動作させるので、図７に示すように、まず最初に走査ＩＣ（１２）に書込み動作させ、次に走査ＩＣ（１０）に書込み動作させ、その次に走査ＩＣ（７）に書込み動作させる。なお、本実施の形態では、部分点灯率が同じであれば、配置的に見て、より上部の走査電極２２に接続された走査ＩＣから先に書込み動作させるものとする。そのため、走査ＩＣ（７）以降の書込み動作の順序は、走査ＩＣ（１）、走査ＩＣ（２）、走査ＩＣ（３）、走査ＩＣ（４）、走査ＩＣ（５）、走査ＩＣ（６）、走査ＩＣ（８）、走査ＩＣ（９）、走査ＩＣ（１１）となり、書込み動作は、領域（１２）、領域（１０）、領域（７）、領域（１）、領域（２）、領域（３）、領域（４）、領域（５）、領域（６）、領域（８）、領域（９）、領域（１１）の順番で行われる。
【００７５】
このように、本実施の形態では、部分点灯率が高い領域に接続された走査ＩＣから先に書込み動作させることで、部分点灯率が高い領域から先に書込みを行い、安定した書込み放電を実現している。これは、次のような理由による。
【００７６】
図８は、本発明の実施の形態１における走査ＩＣの書込み動作の順序と安定した書込み放電を発生させるために必要な走査パルス電圧（振幅）との関係を示す特性図である。図８において、縦軸は安定した書込み放電を発生させるために必要な走査パルス電圧（振幅）を表し、横軸は走査ＩＣの書込み動作の順序を表す。なお、この実験は、１画面を１６の領域に分け、走査パルス発生回路５０に１６個の走査ＩＣを備えて走査電極ＳＣ１〜走査電極ＳＣｎを駆動する構成にして行った。そして、走査ＩＣの書込み動作の順序によって、安定した書込み放電を発生させるために必要な走査パルス電圧（振幅）がどのように変化するかを測定した。
【００７７】
図８に示すように、走査ＩＣの書込み動作の順序に応じて安定した書込み放電を発生させるために必要な走査パルス電圧（振幅）も変化する。そして、書込み動作の順序が遅い走査ＩＣほど安定した書込み放電を発生させるために必要な走査パルス電圧（振幅）は大きくなる。例えば、最初に書込み動作させる走査ＩＣでは、安定した書込み放電を発生させるために必要な走査パルス電圧（振幅）は約８０（Ｖ）であるが、最後（ここでは、１６番目）に書込み動作させる走査ＩＣでは、必要な走査パルス電圧（振幅）は約１５０（Ｖ）となり、約７０（Ｖ）も大きくなった。
【００７８】
これは、初期化期間に形成された壁電荷が、時間の経過とともに徐々に減少するためと考えられる。また、書込みパルス電圧Ｖｄは、書込み期間中（表示画像に応じて）各データ電極３２に印加されるため、走査が行われていない放電セルにも書込みパルス電圧Ｖｄは印加される。このような電圧変化によっても壁電荷は減少するため、書込み期間の終盤に書込みが行われる放電セルでは、さらに壁電荷が減少すると考えられる。
【００７９】
図９は、本発明の実施の形態１における部分点灯率と安定した書込み放電を発生させるために必要な走査パルス電圧（振幅）との関係を示す特性図である。図９において、縦軸は安定した書込み放電を発生させるために必要な走査パルス電圧（振幅）を表し、横軸は部分点灯率を表す。なお、この実験では、図８における測定と同様に１画面を１６の領域に分け、そのうちの１つの領域において、点灯セルの割合を変えながら、安定した書込み放電を発生させるために必要な走査パルス電圧（振幅）がどのように変化するかを測定した。
【００８０】
図９に示すように、点灯セルの割合に応じて安定した書込み放電を発生させるために必要な走査パルス電圧（振幅）も変化する。そして、点灯率が高くなるほど安定した書込み放電を発生させるために必要な走査パルス電圧（振幅）は大きくなる。例えば、点灯率１０％では、安定した書込み放電を発生させるために必要な走査パルス電圧（振幅）は約１１８（Ｖ）であるが、点灯率１００％では、必要な走査パルス電圧（振幅）は約１４９（Ｖ）となり、約３１（Ｖ）も大きくなる。
【００８１】
これは、点灯セルが増えて点灯率が上がると放電電流が増加し、走査パルス電圧（振幅）の電圧降下が大きくなるためと考えられる。また、パネル１０の大画面化により、走査電極２２の長さが長くなる等して駆動負荷が増大すると、電圧降下はさらに大きくなる。
【００８２】
このように、安定した書込み放電を発生させるために必要な走査パルス電圧（振幅）は、走査ＩＣの書込み動作の順序が遅くなるほど、すなわち初期化動作から書込み動作までの経過時間が長くなるほど大きくなり、また、点灯率が高くなるほど大きくなる。したがって、走査ＩＣの書込み動作の順序が遅く、かつその走査ＩＣが接続された領域の部分点灯率が高い場合には、安定した書込み放電を発生させるために必要な走査パルス電圧（振幅）はさらに大きくなる。
【００８３】
しかしながら、同じように部分点灯率が高い領域であっても、その領域に接続された走査ＩＣの書込み動作の順序を早くすれば、その領域に接続された走査ＩＣの書込み動作の順序が遅いときよりも、安定した書込み放電を発生させるために必要な走査パルス電圧（振幅）を低減することができる。
【００８４】
そこで、本実施の形態では、領域毎に部分点灯率を検出し、部分点灯率が高い領域に接続された走査ＩＣから先に書込み動作させる構成とする。これにより、部分点灯率が高い領域から先に書込み動作を行うことができるので、部分点灯率が高い領域における書込み動作を、部分点灯率が低い領域における書込み動作よりも、初期化動作から書込み動作までの経過時間を短くして行うことが可能となる。これにより、安定した書込み放電を発生させるために必要な走査パルス電圧（振幅）が増大することを防止して安定した書込み放電を発生させることができる。本発明者が行った実験では、本実施の形態における構成とすることで、表示画像にもよるが、安定した書込み放電を発生させるために必要な走査パルス電圧（振幅）を約２０（Ｖ）低減できることが確認された。
【００８５】
次に、図５に示した走査ＩＣへの動作開始信号であるＳＩＤ（ここでは、ＳＩＤ（１）〜ＳＩＤ（１２））を発生させる回路の一例を図面を用いて説明する。
【００８６】
図１０は、本発明の実施の形態１における走査ＩＣ切換え回路６０の一構成例を示す回路ブロック図である。タイミング発生回路４５は、ＳＩＤ（ここでは、ＳＩＤ（１）〜ＳＩＤ（１２））を発生させる走査ＩＣ切換え回路６０を有する。なお、ここには図示していないが、各走査ＩＣ切換え回路６０には各回路の動作タイミングの基準となるクロック信号が入力されている。
【００８７】
走査ＩＣ切換え回路６０は、図１０に示すように、発生させるＳＩＤの数と同数（ここでは、１２個）のＳＩＤ発生回路６１を備え、各ＳＩＤ発生回路６１には、点灯率比較回路４８における比較結果にもとづき発生させる切換え信号、書込み期間における走査ＩＣ選択期間に発生させる選択信号、走査ＩＣの書込み動作開始時に発生させるスタート信号がそれぞれ入力される。そして、各ＳＩＤ発生回路６１は、入力された各信号にもとづきＳＩＤを出力する。なお、各信号はタイミング発生回路４５において生成されるが、選択信号に関しては、各ＳＩＤ発生回路６１において所定時間ずつ遅延された選択信号を次段のＳＩＤ発生回路６１に用いるものとする。例えば、最初のＳＩＤ発生回路６１に入力する選択信号（１）をそのＳＩＤ発生回路６１において所定時間遅延して選択信号（２）とし、この選択信号（２）を次段のＳＩＤ発生回路６１に入力するものとする。したがって、各ＳＩＤ発生回路６１においては、切換え信号およびスタート信号は同タイミングで入力されるが、選択信号は全て異なるタイミングで入力される。
【００８８】
図１１は、本発明の実施の形態１におけるＳＩＤ発生回路６１の一構成例を示す回路図である。ＳＩＤ発生回路６１は、フリップフロップ回路（以下、「ＦＦ」と略記する）６２、遅延回路６３、アンドゲート６４を有する。
【００８９】
ＦＦ６２は、一般に知られたフリップフロップ回路と同様の構成、動作であり、クロック入力端子、データ入力端子、データ出力端子を有する。そして、クロック入力端子に入力される信号（ここでは、切換え信号）の立ち上がり時（ＬｏからＨｉへの変化時）におけるデータ入力端子（ここでは、選択信号を入力）の状態（ＬｏまたはＨｉ）を保持し、この状態を反転したものを、データ出力端子からゲート信号として出力する。
【００９０】
アンドゲート６４は、ＦＦ６２から出力されるゲート信号を一方の入力端子に、スタート信号を他方の入力端子に入力し、論理積演算をして出力する。すなわち、ゲート信号がＨｉでかつスタート信号がＨｉのときのみＨｉを出力し、それ以外はＬｏを出力する。そして、このアンドゲート６４の出力がＳＩＤとなる。
【００９１】
遅延回路６３は、一般に知られた遅延回路と同様の構成、動作であり、クロック入力端子、データ入力端子、データ出力端子を有する。そして、データ入力端子に入力される信号（ここでは、選択信号）を、クロック入力端子に入力されるクロック信号の所定の周期分（ここでは、１周期分）だけ遅延させてデータ出力端子から出力する。この出力が次段のＳＩＤ発生回路６１に用いる選択信号となる。
【００９２】
これらの動作を、タイミングチャートを用いて説明する。図１２は、本発明の実施の形態１における走査ＩＣ切換え回路６０の動作を説明するためのタイミングチャートである。ここでは、走査ＩＣ（３）の次に走査ＩＣ（２）に書込み動作させるときの、走査ＩＣ切換え回路６０の動作を例に挙げて説明を行う。
【００９３】
なお、本実施の形態では、書込み期間内に設けた走査ＩＣ選択期間において、次に書込み動作させる走査ＩＣを決定するものとする。ただし、最初に書込み動作させる走査ＩＣを決定するための走査ＩＣ選択期間は書込み期間の直前に行うものとする。そして、書込み動作中の走査ＩＣの書込み動作が終了する直前に、次に書込み動作させる走査ＩＣを決定するための走査ＩＣ選択期間を設けるものとする。
【００９４】
走査ＩＣ選択期間では、まず、選択信号（１）がＳＩＤ（１）を発生させるためのＳＩＤ発生回路６１に入力される。この選択信号（１）は、図１２に示すように、通常はＨｉであり、クロック信号１周期分だけＬｏになる負極性のパルス波形である。そして、選択信号（１）は、ＳＩＤ発生回路６１においてクロック信号１周期分遅延され、選択信号（２）となってＳＩＤ（２）を発生させるためのＳＩＤ発生回路６１に入力される。以降、クロック信号１周期分ずつ遅延された選択信号（３）〜選択信号（１２）が各ＳＩＤ発生回路６１にそれぞれ入力される。
【００９５】
切換え信号は、図１２に示すように、通常はＬｏであり、クロック信号１周期分だけＨｉになる正極性のパルス波形である。そして、クロック信号１周期分ずつ遅延された選択信号（１）〜選択信号（１２）のうち、次に書込み動作させる走査ＩＣを選択するための選択信号がＬｏになったタイミングで、正極性のパルスを発生させる。これにより、ＦＦ６２では、クロック入力端子に入力される切換え信号の立ち上がり時における選択信号の状態を反転させたものがゲート信号として出力される。なお、切換え信号における正極性のパルスは、点灯率比較回路４８からの比較結果にもとづき、タイミング発生回路４５がその発生タイミングを決定して発生させる。
【００９６】
例えば、走査ＩＣ（２）を選択する場合には、図１２に示すように、選択信号（２）がＬｏになった時点で切換え信号に正極性のパルスを発生させる。このとき、選択信号（２）を除く選択信号はＨｉなので、ゲート信号（２）のみがＨｉとなりそれ以外のゲート信号はＬｏとなる。なお、ここでは、ゲート信号（３）がこのタイミングでＨｉからＬｏに変化する。
【００９７】
なお、切換え信号は、クロック信号の立ち下がりに同期して状態が変化するように発生させてもよい。こうすることで、選択信号の状態変化に対してクロック信号半周期分の時間的なずれを設けることができ、ＦＦ６２における動作を確実にすることができる。
【００９８】
そして、走査ＩＣの書込み動作を開始するタイミングで、スタート信号にクロック信号１周期分だけＨｉになる正極性のパルスを発生させる。スタート信号は各ＳＩＤ発生回路６１に共通に入力されるが、ゲート信号がＨｉとなっているアンドゲート６４のみが正極性のパルスを出力できる。これにより、次に書込み動作させる走査ＩＣを任意に決定することができる。ここでは、ゲート信号（２）がＨｉなので、ＳＩＤ（２）に正極性のパルスが発生し、走査ＩＣ（２）が書込み動作を開始する。
【００９９】
以上示したような回路構成によりＳＩＤを発生させることができるが、ここに示した回路構成は単なる一例に過ぎず、本発明は何らここに示した回路構成に限定されるものではない。走査ＩＣに書込み動作の開始を指示するＳＩＤを発生できる構成であれば、どのような回路構成であってもかまわない。
【０１００】
図１３は、本発明の実施の形態１における走査ＩＣ切換え動作の他の一例を説明するためのタイミングチャートである。
【０１０１】
例えば、図１３に示すように、切換え信号に代えて、スタート信号にクロック信号２周期分だけＨｉになる正極性のパルスを発生させる構成としてもよい。すなわち、スタート信号にクロック信号２周期分だけＨｉになる正極性のパルスが発生した場合には、そのパルスをＦＦ６２におけるクロック入力端子への入力に用い、クロック信号１周期分だけＨｉになる正極性のパルスが発生した場合には、本来のスタート信号として用いる構成としてもよい。このような構成であっても、上述と同様の動作を行うことができる。
【０１０２】
以上示したように、本実施の形態によれば、パネル１０の表示領域を複数の領域に分け、それぞれの領域における部分点灯率を部分点灯率検出回路４７で検出し、部分点灯率が高い領域から先に走査を行う構成とする。これにより、安定した書込み放電を発生させるために必要な走査パルス電圧（振幅）が増大することを防止して、安定した書込み放電を発生させることが可能となる。
【０１０３】
なお、本実施の形態では、１つの走査ＩＣに接続された走査電極２２にもとづき各領域を設定する構成を説明したが、本発明は何らこの構成に限定されるものではなく、その他の区分けで各領域を設定する構成であってもよい。例えば、走査電極２２の走査順序を１本ずつ任意に変更できるような構成であれば、１本の走査電極２２を１つの領域として走査電極２２毎に部分点灯率を検出し、その検出結果に応じて、走査電極２２毎に走査順序を変更する構成であってもよい。
【０１０４】
なお、本実施の形態では、それぞれの領域における部分点灯率を検出し、部分点灯率の高い領域から先に走査を行う構成を説明したが、本発明は、何らこの構成に限定されるものではない。例えば、１対の表示電極対２４における点灯率をライン点灯率として各表示電極対２４毎に検出するとともに、各領域毎に最も高いライン点灯率をピーク点灯率として検出し、ピーク点灯率の高い領域から先に書込みを行う構成としてもよい。
【０１０５】
なお、走査ＩＣ切換え回路６０の動作を説明する際に示した各信号の極性は、単なる一例を示したものに過ぎず、説明で示した極性とは逆の極性であっても何らかまわない。
【０１０６】
（実施の形態２）
実施の形態１では、検出された部分点灯率にもとづき各領域の走査順序を決定する動作を、初期化期間にのみ初期化動作を行う駆動（以下、「１相駆動」と呼称する）において行う構成を説明したが、本発明は、何らその構成に限定されるものではない。
【０１０７】
初期化期間に初期化放電によって放電セルに形成される壁電荷は、時間の経過とともに徐々に減少する。そのため、走査の順番が遅い放電セルほどより多くの壁電荷が減少し、その分、安定した書込み放電を発生させるために必要な走査パルス電圧（振幅）は大きくなる。特に、高精細化されたパネル１０においては、走査電極２２が増加することで走査に費やす時間がより長くなってしまうため、書込み期間の最後の方に書込みがなされる放電セルにおける壁電荷の減少はより大きくなりやすい。
【０１０８】
このとき、初期化期間における初期化動作に加え、書込み期間の途中で２回目の初期化動作を行う（以下、「２相駆動」と呼称する）ことで、１相駆動よりも壁電荷の減少を抑え、書込み動作を安定化させることができる。２相駆動では、書込み期間の途中で２回目の初期化動作を行うので、書込み期間において最後に走査を行う領域、すなわち、初期化動作後、最も遅く書込みがなされる領域における初期化動作から書込みまでの経過時間を、初期化期間にのみ初期化動作を行う１相駆動と比較して、約半分にすることができるからである。
【０１０９】
そこで、本実施の形態では、２相駆動するときの一実施例について説明する。なお、本実施の形態では、初期化期間に行う初期化動作を「１回目の初期化動作」と記し、書込み期間に行う初期化動作を「２回目の初期化動作」と記す。
【０１１０】
まず、２相駆動を行うときの駆動電圧波形とその動作の概要について、図面を用いて説明する。なお、本実施の形態では、１フィールドを８つのサブフィールド（第１ＳＦ、第２ＳＦ、・・・、第８ＳＦ）で構成し、各サブフィールドはそれぞれ１、２、４、８、１６、３２、６４、１２８の輝度重みを有するものとする。また、本実施の形態では、第１ＳＦの初期化期間では全セル初期化動作を行い、第２ＳＦ〜第８ＳＦの初期化期間では選択初期化動作を行うものとする。
【０１１１】
しかし、本実施の形態は、サブフィールド数や各サブフィールドの輝度重みが上記の値に限定されるものではなく、また、画像信号等にもとづいてサブフィールド構成を切換える構成であってもよい。
【０１１２】
図１４は、本発明の実施の形態２におけるパネル１０の各電極に印加する駆動電圧波形図である。
【０１１３】
なお、２相駆動では、各領域を走査する順番を１相駆動を行うときとは異なる順番にする。これは、本発明の目的とする効果、すなわち、部分点灯率が高い領域を先に走査することで書込み動作を安定化させる、という効果を得るためであるが、この詳細については後述する。なお、ここでは、走査電極ＳＣ１から順に走査パルス電圧Ｖａを印加するものとして説明を行う。そして、図１４には、書込み期間の最初に走査を行う走査電極ＳＣ１と、２回目の初期化動作の直前に走査を行う走査電極ＳＣｎ／２（例えば、走査電極ＳＣ５４０）と、２回目の初期化動作の直後に走査を行う走査電極ＳＣｎ／２＋１（例えば、走査電極ＳＣ５４１）と、書込み期間の最後に走査を行う走査電極ＳＣｎ（例えば、走査電極ＳＣ１０８０）とを示す。あわせて、維持電極ＳＵ１〜維持電極ＳＵｎ、およびデータ電極Ｄ１〜データ電極Ｄｍの駆動波形を示す。
【０１１４】
まず、全セル初期化サブフィールドである第１ＳＦについて説明する。
【０１１５】
第１ＳＦの初期化期間前半部における動作は、図３に示した駆動波形の第１ＳＦの初期化期間前半部における動作と同様であるので、説明を省略する。
【０１１６】
初期化期間後半部では、維持電極ＳＵ１〜維持電極ＳＵｎには正の電圧Ｖｅ１を印加し、データ電極Ｄ１〜データ電極Ｄｍには０（Ｖ）を印加する。
【０１１７】
ここで、本実施の形態では、１回目の初期化動作のみを行う放電セルと、２回目の初期化動作も行う放電セルとに、互いに異なる波形形状の初期化波形を印加する。具体的には、最低電圧が互いに異なる下りランプ電圧を印加する。
【０１１８】
まず、１回目の初期化動作のみを行う放電セルに属する走査電極２２（図１４では、走査電極ＳＣ１〜走査電極ＳＣｎ／２）には、図３に示した第１ＳＦの初期化期間後半部と同様の下りランプ電圧Ｌ２を印加する。これにより、走査電極ＳＣ１〜走査電極ＳＣｎ／２と維持電極ＳＵ１〜維持電極ＳＵｎ／２との間、および走査電極ＳＣ１〜走査電極ＳＣｎ／２とデータ電極Ｄ１〜データ電極Ｄｍとの間で初期化放電が起き、走査電極ＳＣ１〜走査電極ＳＣｎ／２上部の負の壁電圧および維持電極ＳＵ１〜維持電極ＳＵｎ／２上部の正の壁電圧が弱められ、データ電極Ｄ１〜データ電極Ｄｍ上部の正の壁電圧は書込み動作に適した値に調整される。
【０１１９】
一方、２回目の初期化動作を行う放電セルに属する走査電極２２（図１４では、走査電極ＳＣｎ／２＋１〜走査電極ＳＣｎ）には、電圧Ｖｉ３から負の電圧（Ｖａ＋Ｖｓｅｔ５）に向かって緩やかに下降する下りランプ電圧Ｌ５を印加する。ここで、本実施の形態では、電圧Ｖｓｅｔ５を電圧Ｖｓｅｔ２（例えば、６（Ｖ））よりも高い電圧（例えば、７０（Ｖ））に設定する。
【０１２０】
このように、本実施の形態における初期化期間では、下りランプ電圧Ｌ２が電圧（Ｖａ＋Ｖｓｅｔ２）まで下降するのに対して、下りランプ電圧Ｌ５は電圧（Ｖａ＋Ｖｓｅｔ２）よりも高い電圧（Ｖａ＋Ｖｓｅｔ５）までしか下降しないようにする。これにより、下りランプ電圧Ｌ５を印加する放電セルにおいては、初期化放電によって移動する電荷の量が、下りランプ電圧Ｌ２によって初期化放電を発生する放電セルに比べて少なくなる。そのため、下りランプ電圧Ｌ５を印加する放電セルには、下りランプ電圧Ｌ２を印加する放電セルより多くの壁電荷が残存する。
【０１２１】
続く書込み期間では、図３の書込み期間に示した駆動波形と同様の駆動波形を各電極に印加する。すなわち、走査電極２２に対しては順次走査パルス電圧Ｖａを印加し、データ電極３２に対しては発光させるべき放電セルに対応するデータ電極Ｄｋ（ｋ＝１〜ｍ）に正の書込みパルス電圧Ｖｄを印加して、各放電セルに選択的に書込み放電を発生させる。
【０１２２】
この書込み動作を、１回目の初期化動作のみを行う放電セル（図１４では、走査電極ＳＣ１〜走査電極Ｓｎ／２を有する放電セル）に順次行い、まず、１回目の初期化動作のみを行う放電セルにおける書込み動作を終了する。
【０１２３】
そして、本実施の形態では、続く書込み動作を開始する前に、下りランプ電圧Ｌ５よりも最低電圧が低い下りランプ電圧、具体的には、電圧Ｖｃから負の電圧（Ｖａ＋Ｖｓｅｔ３）に向かって下降する下りランプ電圧Ｌ６を、２回目の初期化動作を行う放電セルに属する走査電極２２（図１４では、走査電極ＳＣｎ／２＋１〜走査電極ＳＣｎ）に印加する。
【０１２４】
上述したように、下りランプ電圧Ｌ５は負の電圧（Ｖａ＋Ｖｓｅｔ５）までしか下降しておらず、そのため、下りランプ電圧Ｌ５を印加した放電セルには、下りランプ電圧Ｌ２を印加した放電セルより多くの壁電荷が残存する。したがって、電圧Ｖｓｅｔ３（例えば、８（Ｖ））を電圧Ｖｓｅｔ５（例えば、７０（Ｖ））よりも十分に小さい電圧に設定して、下りランプ電圧Ｌ６を下りランプ電圧Ｌ５よりも十分に低い電位まで下降させることで、下りランプ電圧Ｌ５を印加した放電セルに２回目の初期化放電を発生させることができる。
【０１２５】
初期化放電で形成される壁電荷は、時間の経過とともに減少する。しかし、２相駆動では、２回目の初期化動作を行う放電セルにおいて、書込み期間の途中で壁電荷の調整を行うことができる。したがって、初期化動作から最も遅く書込みがなされる放電セルにおける初期化動作から書込み動作までの経過時間を、実質的に１相駆動の約半分にすることができる。これにより、書込み期間における走査の順番が遅い放電セルにおける書込み動作を安定に行うことが可能となる。
【０１２６】
なお、図１４には、２回目の初期化動作を行う放電セルに属する走査電極２２（図１４では、走査電極ＳＣｎ／２＋１〜走査電極ＳＣｎ）に下りランプ電圧Ｌ６を印加するのと同タイミングで、１回目の初期化動作のみを行う放電セルに属する走査電極２２（図１４では、走査電極ＳＣ１〜走査電極ＳＣｎ／２）にも下りランプ電圧Ｌ６を印加する波形図を記載しているが、すでに書込み動作が終わっている放電セルに下りランプ電圧Ｌ６を印加する必要はない。しかし、下りランプ電圧Ｌ６を選択的に印加できるように走査電極駆動回路を構成することが困難な場合には、図１４に示すように、下りランプ電圧Ｌ６を全ての走査電極２２に印加しても何ら問題ない。これは、下りランプ電圧Ｌ２を印加して初期化放電を発生させた放電セルには、下りランプ電圧Ｌ２の最低電圧（Ｖａ＋Ｖｓｅｔ２）よりも高い電圧（Ｖａ＋Ｖｓｅｔ３）までしか下降しない下りランプ電圧Ｌ６を印加しても、再度初期化放電が発生することはないためである。
【０１２７】
そして、下りランプ電圧Ｌ６による２回目の初期化動作を行った後、書込み動作がなされていない走査電極２２（図１４では、走査電極ＳＣｎ／２＋１〜走査電極ＳＣｎ）に対して、上述と同様の手順で、順次走査パルスを印加する。以上の書込み動作をｎ行目の放電セルに至るまで行い、２回目の初期化動作を行った放電セルにおける書込み動作が終了して、第１ＳＦにおける書込み期間が終了する。
【０１２８】
なお、走査電極２２に下りランプ電圧Ｌ６を印加する期間は、データ電極Ｄ１〜データ電極Ｄｍに書込みパルスは印加しないものとする。
【０１２９】
続く維持期間における動作は、図３に示した駆動波形の維持期間における動作と同様であるので、説明を省略する。
【０１３０】
第２ＳＦの初期化期間では、１回目の初期化動作のみを行う放電セルに属する走査電極２２（図１４では、走査電極ＳＣ１〜走査電極ＳＣｎ／２）には、図３の第２ＳＦの初期化期間に示した初期化波形と同様に、放電開始電圧以下となる電圧（例えば、０（Ｖ））から負の電圧（Ｖａ＋Ｖｓｅｔ４）に向かって下降する下りランプ電圧Ｌ４を印加する。
【０１３１】
これにより前のサブフィールド（図１４では、第１ＳＦ）の維持期間で維持放電を起こした放電セルでは微弱な初期化放電が発生し、走査電極ＳＣｉ上部および維持電極ＳＵｉ上部の壁電圧が弱められ、データ電極Ｄｋ（ｋ＝１〜ｍ）上部の壁電圧も書込み動作に適した値に調整される。しかし、前のサブフィールドで維持放電が起きなかった放電セルについては放電することはなく、前のサブフィールドの初期化期間終了時における壁電荷の状態がそのまま保たれる。
【０１３２】
一方、２回目の初期化動作を行う放電セルに属する走査電極２２（図１４では、走査電極ＳＣｎ／２＋１〜走査電極ＳＣｎ）には、放電開始電圧以下となる電圧（例えば、０（Ｖ））から負の電圧（Ｖａ＋Ｖｓｅｔ５）に向かって下降する下りランプ電圧Ｌ７を印加する。
【０１３３】
これにより、２回目の初期化動作を行う放電セルにおいては、上述と同様に前のサブフィールド（図１４では、第１ＳＦ）の維持期間で維持放電を起こした放電セルでのみ微弱な初期化放電が発生する。しかし、下りランプ電圧Ｌ７は電圧（Ｖａ＋Ｖｓｅｔ２）よりも高い電圧（Ｖａ＋Ｖｓｅｔ５）までしか下降しないため、下りランプ電圧Ｌ７を印加する放電セルにおいては、初期化放電によって移動する電荷の量が、下りランプ電圧Ｌ４によって初期化放電を発生する放電セルに比べて少ない。そのため、下りランプ電圧Ｌ７を印加する放電セルには、下りランプ電圧Ｌ４を印加する放電セルより多くの壁電荷が残存する。
【０１３４】
第２ＳＦの書込み期間においては、第１ＳＦの書込み期間と同様の駆動波形を各電極に印加する。すなわち、下りランプ電圧Ｌ４を印加した放電セルに順次書込みを行い、その後、下りランプ電圧Ｌ７を印加した放電セルに下りランプ電圧Ｌ６による２回目の初期化動作を行い、続いて、２回目の初期化動作を行った放電セルに順次書込みを行う。
【０１３５】
第２ＳＦの維持期間における動作は、第１ＳＦの維持期間と同様の動作であるので、説明を省略する。
【０１３６】
また、第３ＳＦ以降のサブフィールドでは、走査電極ＳＣ１〜走査電極ＳＣｎ、維持電極ＳＵ１〜維持電極ＳＵｎおよびデータ電極Ｄ１〜データ電極Ｄｍに対して、維持期間における維持パルスの発生数（以下、単に「維持パルス数」とも記す）が異なる以外は第２ＳＦと同様の駆動波形を印加する。
【０１３７】
なお、上述した構成においては、下りランプ電圧Ｌ２における電圧Ｖｓｅｔ２を、下りランプ電圧Ｌ４における電圧Ｖｓｅｔ４（例えば、１０（Ｖ））よりも小さい電圧に設定することが望ましい。これは、電圧（Ｖａ＋Ｖｓｅｔ２）を電圧（Ｖａ＋Ｖｓｅｔ４）よりも小さい電圧に設定することで、第１ＳＦにおける初期化放電、すなわち１フィールド期間における最初の初期化放電を確実に発生させるためである。
【０１３８】
以上が、本実施の形態における２相駆動時にパネル１０の各電極に印加する駆動電圧波形の概要である。次に、２相駆動を行うことで得られる効果について説明する。
【０１３９】
図１５は、本発明の実施の形態２における２相駆動を行うときに安定した書込み放電を発生させるために必要な走査パルス電圧（振幅）と走査の順番との関係を概略的に示す特性図である。図１５（ａ）は、２相駆動を行うときの安定した書込み放電を発生させるために必要な走査パルス電圧（振幅）と走査の順番との関係を示す概略特性図であり、横軸は走査電極ＳＣ１〜走査電極ＳＣｎの走査の順番を表し、縦軸は各放電セルにおいて安定した書込み放電を発生させるために必要な走査パルス電圧（振幅）を表す。また、図１５（ｂ）は、２相駆動を行うときに走査電極ＳＣ１〜走査電極ＳＣｎに印加する駆動波形を示す波形図であり、書込み期間に最初に走査を行う走査電極ＳＣ１、２回目の初期化動作の直後に走査を行う走査電極ＳＣｎ／２＋１、書込み期間の最後に走査を行う走査電極ＳＣｎにおける駆動波形を示す。なお、図１５は、走査電極ＳＣ１から走査電極ＳＣｎまでを順に走査するとともに走査電極ＳＣｎ／２の走査と走査電極ＳＣｎ／２＋１の走査との間に２回目の初期化動作を行うという条件で実験を行い、その検出結果をグラフ化して示したものである。また、図１５は、安定した書込み放電を発生させるために必要な走査パルス電圧（振幅）と、初期化動作後の時間経過との関連を調べてグラフ化して示した図であり、走査パルス電圧Ｖａを走査電極毎に変えているわけではない。
【０１４０】
なお、図１５（ａ）に破線で示す特性は、比較のために、１相駆動時に安定した書込み放電を発生させるために必要な走査パルス電圧（振幅）を示したものである。また、図１５（ｂ）は、２相駆動を行うときに走査電極ＳＣ１〜走査電極ＳＣｎに印加する駆動波形を示す波形図であり、書込み期間の最初に走査を行う走査電極（図１５では、走査電極ＳＣ１）、２回目の初期化動作の直後に走査を行う走査電極（図１５では、走査電極ＳＣｎ／２＋１）、書込み期間の最後に走査を行う走査電極（図１５では、走査電極ＳＣｎ）における駆動波形を示す。
【０１４１】
本実施の形態における２相駆動では、書込み期間の途中（図１５では、走査電極ＳＣｎ／２＋１の走査を行う直前）に、まだ書込みがなされていない放電セルに下りランプ電圧Ｌ６による初期化放電を発生させる。これにより、図１５（ａ）に実線で示すように、２回目の初期化動作を行う放電セルにおいて、安定した書込み放電を発生させるために必要な走査パルス電圧（振幅）を低減することが可能となる。この実験では、２相駆動を行うことにより、書込み期間の最後に走査を行う放電セルにおいて、安定した書込み放電を発生させるために必要な走査パルス電圧（振幅）を、１相駆動を行った場合と比較して約２０（Ｖ）低減できることが確認された。
【０１４２】
そして、２相駆動を行うときには、部分点灯率が高い領域を先に走査することで書込み動作を安定化させる、という本発明の目的とする構成を実現するために、各領域を走査する順番を、１相駆動を行うときとは異なる順番にする。次にその具体的な一例を説明する。
【０１４３】
図１６は、本発明の実施の形態２における所定の画像を２相駆動で表示するときの部分点灯率に応じた走査順序の一例（走査ＩＣの書込み動作の順序の一例）を示す概略図である。なお、図１６において、斜線で示した領域は非点灯セルが分布する領域を表し、斜線のない白抜きの領域は点灯セルが分布する領域を表す。また、図１６には、各領域を分かりやすく示すために、領域間の境界を破線で示す。
【０１４４】
なお、この表示画像は、部分点灯率が最も高い領域が走査ＩＣ（１）に接続された領域（１）であり、以下、部分点灯率は、領域（２）、領域（３）、領域（４）、領域（５）、領域（６）、領域（７）、領域（８）、領域（９）、領域（１０）、領域（１１）、領域（１２）の順に小さくなるものとする。したがって、この画像を１相駆動で表示するときには、各領域の走査の順番は、領域（１）、領域（２）、領域（３）、領域（４）、領域（５）、領域（６）、領域（７）、領域（８）、領域（９）、領域（１０）、領域（１１）、領域（１２）の順になる。
【０１４５】
しかし、２相駆動では、例えば、図１６に示すように、１回目の初期化動作の後、領域（１）、領域（３）、領域（５）、領域（７）、領域（９）、領域（１１）の順に走査し、続く２回目の初期化動作の後、領域（２）、領域（４）、領域（６）、領域（８）、領域（１０）、領域（１２）の順に走査する。
【０１４６】
２相駆動では、書込み期間の途中で２回目の初期化動作を行うので、このような順番で各領域を走査することで、部分点灯率が大きい領域ほど初期化動作から書込み動作までの経過時間が短くなるように書込みすることができる。
【０１４７】
これにより、最も部分点灯率が高い領域（１）に加え、２番目に部分点灯率が高い領域（２）も初期化動作の直後に走査することができる。また、最も部分点灯率が低い領域（１２）および２番目に部分点灯率が低い領域（１１）における初期化動作から書込み動作までの経過時間を、１相駆動を行うときと比較して実質的に半減することができる。
【０１４８】
このように、２相駆動では、１相駆動と比較して、初期化動作から書込み動作までの経過時間を短くすることができる領域を増やせるので、書込み放電をさらに安定に発生させることが可能となる。
【０１４９】
なお、２相駆動を行うときの各領域の走査の順番は、何ら図１６に示す順番に限定されるものではない。本発明では、部分点灯率が最も大きい領域の走査を一方の初期化動作の直後に行い、２番目に部分点灯率が大きい領域の走査を他方の初期化動作の直後に行い、以降、部分点灯率が大きい領域ほど初期化動作から書込み動作までの経過時間が短くなるような順番で各領域の走査を行っていくものとする。
【０１５０】
したがって、各領域の部分点灯率が図１６に示すような順番になっているときには、図１６に示す走査の順番に代えて、１回目における初期化動作の後、領域（２）、領域（４）、領域（６）、領域（８）、領域（１０）、領域（１２）の順に走査し、続く２回目の初期化動作の後、領域（１）、領域（３）、領域（５）、領域（７）、領域（９）、領域（１１）の順に走査する構成でもよい。あるいは、１回目の初期化動作の後、領域（１）、領域（４）、領域（５）、領域（８）、領域（９）、領域（１２）の順に走査し、続く２回目の初期化動作の後、領域（２）、領域（３）、領域（６）、領域（７）、領域（１０）、領域（１１）の順に走査する構成でもよい。あるいは、１回目の初期化動作の後、領域（２）、領域（３）、領域（６）、領域（７）、領域（１０）、領域（１１）の順に走査し、続く２回目の初期化動作の後、領域（１）、領域（４）、領域（５）、領域（８）、領域（９）、領域（１２）の順に走査する構成でもよい。このような順番であっても、本発明の目的とする構成、すなわち、部分点灯率が大きい領域ほど初期化動作から書込み動作までの過時間が短くなるように各領域を走査するという構成を実現することができる。
【０１５１】
なお、全サブフィールドを２相駆動とする構成であってもよいが、２相駆動では、初期化動作の回数が増えた分だけ駆動時間が増えるので、駆動時間に余裕がないときには、例えば輝度重みの大きいサブフィールドでのみ２相駆動を行い、輝度重みの小さいサブフィールドでは１相駆動を行う、といったように、２相駆動を行うサブフィールドを制限してもよい。そのときには、１相駆動か、２相駆動かに応じて、最適に走査の順番を決定すればよい。
【０１５２】
なお、本実施の形態では、書込み期間に２回目の初期化動作を行う２相駆動を例に挙げて説明を行ったが、例えば、書込み期間に２回目と３回目の初期化動作を行う３相駆動、あるいはそれ以上の初期化動作を行う多相駆動を行う構成であってもよい。そのときには、部分点灯率が最も大きい領域の走査を１つの初期化動作の直後に行い、２番目に部分点灯率が大きい領域の走査を他の１つの初期化動作の直後に行い、３番目に部分点灯率が大きい領域の走査をさらに他の１つの初期化動作の直後に行う、というように、上述と同様の考え方にもとづき走査順番を設定するものとする。
【０１５３】
次に、走査電極駆動回路４６について説明する。図１７は、本発明の実施の形態２における走査電極駆動回路４６の回路図である。走査電極駆動回路４６は、維持パルスを発生する維持パルス発生回路５２、初期化波形を発生する初期化波形発生回路５１、走査パルスを発生する走査パルス発生回路５６を備え、走査パルス発生回路５６のそれぞれの出力はパネル１０の走査電極ＳＣ１〜走査電極ＳＣｎのそれぞれに接続されている。なお、図１７には、負の電圧Ｖａを用いた回路（例えば、ミラー積分回路５４）を動作させているときに、維持パルス発生回路５２および電圧Ｖｒを用いた回路（例えば、ミラー積分回路５３）を電気的に分離するために設けたスイッチング素子Ｑ４を用いた分離回路を示している。
【０１５４】
維持パルス発生回路５２は、実施の形態１に示した維持パルス発生回路５２と同様の構成および動作であり、一般に用いられている電力回収回路とクランプ回路とを備え（図示せず）、タイミング発生回路４５から出力される制御信号にもとづき内部に備えた各スイッチング素子を切換えて維持パルスを発生する。また、上昇する傾斜電圧を発生させるためのミラー積分回路（図示せず）を備え、維持期間の最後に、消去ランプ電圧Ｌ３を発生する。
【０１５５】
初期化波形発生回路５１は、実施の形態１に示した初期化波形発生回路５１と同様の構成および動作であり、スイッチング素子Ｑ１とコンデンサＣ１と抵抗Ｒ１とを有し走査パルス発生回路５６の基準電位Ａをランプ状に上昇させるミラー積分回路５３、スイッチング素子Ｑ２とコンデンサＣ２と抵抗Ｒ２とを有し走査パルス発生回路５６の基準電位Ａをランプ状に降下させるミラー積分回路５４を備えている。そして、ミラー積分回路５３は初期化動作時に上昇する傾斜電圧を発生し、ミラー積分回路５４は初期化動作時に下降する傾斜電圧を発生する。なお、図１７には、ミラー積分回路５３の入力端子を入力端子ＩＮ１、ミラー積分回路５４の入力端子を入力端子ＩＮ２として示している。また、基準電位Ａとは、後述する走査ＩＣ５５の低電圧側の入力端子ＩＮａに接続された経路における電位のことである。
【０１５６】
なお、本実施の形態では、初期化波形発生回路５１に、実用的であり比較的構成が簡単なＦＥＴを用いたミラー積分回路を採用しているが、本実施の形態は何らこの構成に限定されるものではなく、基準電位Ａをランプ状に上昇または降下させることができる回路であればどのような回路であってもよい。
【０１５７】
走査パルス発生回路５６は、走査電極ＳＣ１〜走査電極ＳＣｎのそれぞれに走査パルスを出力する複数の走査ＩＣ５５（本実施の形態では、走査ＩＣ（１）〜走査ＩＣ（１２））と、書込み期間において基準電位Ａを負の電圧Ｖａに接続するためのスイッチング素子Ｑ５と、基準電位Ａに電圧Ｖｓｃｎを重畳した電圧Ｖｃを走査ＩＣ５５の高電圧側（入力端子ＩＮｂ）に印加するためのダイオードＤ３１およびコンデンサＣ３１と、２つの入力端子に入力される入力信号の大小を比較する比較器ＣＰ１および比較器ＣＰ２と、比較器ＣＰ１の一方の入力端子に電圧（Ｖａ＋Ｖｓｅｔ２）を印加するためのスイッチング素子ＳＷ１と、比較器ＣＰ１の一方の入力端子に電圧（Ｖａ＋Ｖｓｅｔ３）を印加するためのスイッチング素子ＳＷ２と、比較器ＣＰ１の一方の入力端子に電圧（Ｖａ＋Ｖｓｅｔ４）を印加するためのスイッチング素子ＳＷ３と、走査ＩＣ５５（本実施の形態では、走査ＩＣ（１）〜走査ＩＣ（１２））を制御するための制御信号ＳＩＤ（本実施の形態では、制御信号ＳＩＤ（１）〜制御信号ＳＩＤ（１２））のそれぞれと比較器ＣＰ２の出力信号ＣＰＯとの論理和演算を行うオアゲートＯＲ（本実施の形態では、オアゲートＯＲ（１）〜オアゲートＯＲ（１２））と、走査ＩＣ５５（本実施の形態では、走査ＩＣ（１）〜走査ＩＣ（１２））を制御するための制御信号ＯＣ１とオアゲートＯＲ（オアゲートＯＲ（１）〜オアゲートＯＲ（１２））の出力信号のそれぞれとの論理積演算を行うアンドゲートＡＧ（本実施の形態では、アンドゲートＡＧ（１）〜アンドゲートＡＧ（１２））とを備えている。なお、比較器ＣＰ１の他方の入力端子は基準電位Ａに接続されている。また、比較器ＣＰ２の一方の入力端子は電圧（Ｖａ＋Ｖｓｅｔ５）に、比較器ＣＰ２の他方の入力端子は基準電位Ａに接続されている。また、オアゲートＯＲおよびアンドゲートＡＧは走査ＩＣと同数（本実施の形態では、１２個）が備えられている。
【０１５８】
走査ＩＣ５５は、低電圧側の入力端子である入力端子ＩＮａと高電圧側の入力端子である入力端子ＩＮｂとの２つの入力端子と、各走査電極２２のそれぞれに接続する複数の出力端子とを有し、制御信号にもとづき、２つの入力端子に入力される電圧のいずれかを各出力端子から出力する。そして、各走査ＩＣ５５（本実施の形態では、走査ＩＣ（１）〜走査ＩＣ（１２））のそれぞれには、制御信号として、アンドゲートＡＧ（本実施の形態では、アンドゲートＡＧ（１）〜アンドゲートＡＧ（１２））から出力される制御信号ＯＣ１’（本実施の形態では、制御信号ＯＣ１’（１）〜制御信号ＯＣ１’（１２））、比較器ＣＰ１から出力される制御信号ＯＣ２、書込み期間にタイミング発生回路４５から出力される走査開始信号ＳＩＤ（本実施の形態では、走査開始信号ＳＩＤ（１）〜走査開始信号ＳＩＤ（１２））を入力する。なお、制御信号ＯＣ２は全ての走査ＩＣ５５に共通に入力する制御信号である。また、全ての走査ＩＣ５５には、信号処理動作の同期をとるための同期信号であるクロック信号ＣＬＫを入力する。
【０１５９】
なお、本実施の形態では、検出された部分点灯率に応じて走査ＩＣ５５の書込み動作の順序を変更するので、その変更に応じて、走査ＩＣ５５に印加する初期化波形の波形形状を変更しなければならない。そして、本実施の形態では、走査パルス発生回路５６を図１７に示すような構成にすることで、走査ＩＣ５５に印加する初期化波形の波形形状を任意に設定することができる。次に、この走査パルス発生回路５６の動作について説明する。
【０１６０】
なお、走査パルス発生回路５６は、初期化期間では初期化波形発生回路５１の電圧波形を出力し、維持期間では維持パルス発生回路５２の電圧波形を出力するように、タイミング発生回路４５によって制御されるものとする。
【０１６１】
まず、走査ＩＣ５５の動作について説明する。図１８は、本発明の実施の形態２における制御信号ＯＣ１’、制御信号ＯＣ２と走査ＩＣ５５の動作状態との対応関係を説明するための図である。
【０１６２】
図１８に示すように、制御信号ＯＣ１’、制御信号ＯＣ２が共にハイレベル（以下、「Ｈｉ」と記す）のとき、走査ＩＣ５５は、「Ａｌｌ‐Ｈｉ」の状態、すなわち走査ＩＣ５５の出力端子の全てが高電圧側の入力端子ＩＮｂと電気的に接続された状態となる。
【０１６３】
制御信号ＯＣ１’が「Ｈｉ」、制御信号ＯＣ２がローレベル（以下、「Ｌｏ」と記す）のとき、走査ＩＣ５５は、「Ａｌｌ‐Ｌｏ」の状態、すなわち走査ＩＣ５５の出力端子の全てが低電圧側の入力端子ＩＮａと電気的に接続された状態となる。例えば、維持パルス発生回路５２を動作させているときは、制御信号ＯＣ１’を「Ｈｉ」、制御信号ＯＣ２を「Ｌｏ」にすることでスイッチング素子ＱＨ１〜スイッチング素子ＱＨｎがオフ、スイッチング素子ＱＬ１〜スイッチング素子ＱＬｎがオンになり、維持パルス発生回路５２から出力される維持パルスを、スイッチング素子ＱＬ１〜スイッチング素子ＱＬｎを経由して各走査電極ＳＣ１〜走査電極ＳＣｎに印加することができる。
【０１６４】
制御信号ＯＣ１’、制御信号ＯＣ２が共に「Ｌｏ」のとき、走査ＩＣ５５は、出力端子がハイインピーダンス状態（以下、「ＨｉＺ」と記す）となる。
【０１６５】
制御信号ＯＣ１’が「Ｌｏ」、制御信号ＯＣ２が「Ｈｉ」のとき、走査ＩＣ５５は、「ＤＡＴＡ」状態、すなわち走査ＩＣ５５に入力される走査開始信号ＳＩＤにもとづきあらかじめ定められた一連の動作を行う状態となる。
【０１６６】
具体的には、走査ＩＣ５５に走査開始信号ＳＩＤが入力されると（本実施の形態では、走査開始信号ＳＩＤを所定の期間「Ｌｏ」にすると）、まず最初に、走査ＩＣ５５の最初の出力端子だけが低電圧側の入力端子ＩＮａと電気的に接続され、残りの全ての出力端子は高電圧側の入力端子ＩＮｂと電気的に接続される。その状態が所定時間（例えば、１μｓｅｃ）継続された後、次に、走査ＩＣ５５の２番目の出力端子だけが低電圧側の入力端子ＩＮａと電気的に接続され、残りの全ての出力端子は高電圧側の入力端子ＩＮｂと電気的に接続される。このようにして、走査ＩＣ５５の各出力端子が、順番に、所定時間ずつ、低電圧側の入力端子ＩＮａと電気的に接続されていく。本実施の形態では、書込み期間に走査ＩＣ５５をこの動作状態にして走査パルス電圧Ｖａを順次発生させ、走査電極ＳＣ１〜走査電極ＳＣｎの走査を行う。
【０１６７】
次に、走査電極駆動回路４６の動作について説明する。図１９は、本発明の実施の形態２における走査電極駆動回路４６の動作の一例を説明するためのタイミングチャートである。なお、図１９では、電圧Ｖｉ１、電圧Ｖｉ３は電圧Ｖｓに等しいものとし、電圧Ｖｉ２は電圧Ｖｒに等しいものとして説明する。また、図１９には、１回目の初期化動作の直後、すなわち書込み期間の最初に走査ＩＣ（１）に書込み動作させ、以降、走査ＩＣ（２）、走査ＩＣ（３）、走査ＩＣ（４）、走査ＩＣ（５）、走査ＩＣ（６）の順に書込み動作させ、２回目の初期化動作の直後に走査ＩＣ（７）に書込み動作させ、以降、走査ＩＣ（８）、走査ＩＣ（９）、走査ＩＣ（１０）、走査ＩＣ（１１）、走査ＩＣ（１２）の順に書込み動作させるときのタイミングチャートを示す。ただし、図１９には、書込み期間の最初に走査を行う走査電極ＳＣ１に印加される駆動電圧波形と、２回目の初期化動作の直後に走査を行う走査電極ＳＣｎ／２＋１（例えば、走査電極ＳＣ５４１）に印加される駆動電圧波形と、走査ＩＣ（１）および走査ＩＣ（７）の制御に必要な各信号、すなわち、制御信号ＯＣ１、制御信号ＯＣ２、制御信号ＯＣ１’（１）、制御信号ＯＣ１’（７）、比較器ＣＰ２の出力信号ＣＰＯ、走査開始信号ＳＩＤ（１）、走査開始信号ＳＩＤ（７）の各制御信号と、入力端子ＩＮ１、入力端子ＩＮ２への定電流供給状態とを示す。
【０１６８】
なお、本実施の形態において、走査ＩＣ５５は、「ＤＡＴＡ」状態のときに走査開始信号を所定の期間（例えば、クロック信号ＣＬＫの１周期分）「Ｌｏ」にすることで、走査を開始するものとする。また、初期化期間の前半（上りランプ電圧Ｌ１を発生させている期間）および維持期間はスイッチング素子Ｑ４をオンにし、初期化期間の後半（下りランプ電圧Ｌ２を発生させている期間）および書込み期間はスイッチング素子Ｑ４をオフにするものとする。
【０１６９】
（初期化期間）
初期化期間では、まず、制御信号ＯＣ１および制御信号ＳＩＤ（１）〜制御信号ＳＩＤ（１２）を「Ｈｉ」にする。同時に、維持パルス発生回路５２のクランプ回路を動作させ、基準電位Ａの電位を０（Ｖ）にする。基準電位Ａの０（Ｖ）は、Ｖａ＋Ｖｓｅｔ２、Ｖａ＋Ｖｓｅｔ３、Ｖａ＋Ｖｓｅｔ４のどの電圧よりも高いので、比較器ＣＰ１から出力される制御信号ＯＣ２は「Ｌｏ」になる。また、制御信号ＯＣ１および制御信号ＳＩＤ（１）〜制御信号ＳＩＤ（１２）はいずれも「Ｈｉ」なので、アンドゲートＡＧ（１）〜アンドゲートＡＧ（１２）から出力される制御信号ＯＣ１’（１）〜制御信号ＯＣ１’（１２）も「Ｈｉ」になる。これにより、全ての走査ＩＣ５５が「Ａｌｌ‐Ｌｏ」の状態になり、基準電位Ａの０（Ｖ）が走査ＩＣ５５の出力電圧となる。
【０１７０】
次に、時刻ｔ０で、維持パルス発生回路５２の電力回収回路を動作させ、基準電位Ａの電位を上昇させる。その後、維持パルス発生回路５２のクランプ回路を動作させ、基準電位Ａの電位を電圧Ｖｓ（本実施の形態では、電圧Ｖｉ１と等しい）にする。
【０１７１】
次に、時刻ｔ１で、上りランプ電圧Ｌ１を発生するミラー積分回路５３の入力端子ＩＮ１を「Ｈｉ」にする。具体的には入力端子ＩＮ１に、所定の定電流を入力する。すると、抵抗Ｒ１からコンデンサＣ１に向かって一定の電流が流れ、スイッチング素子Ｑ１のソース電圧がランプ状に上昇し、初期化波形発生回路５１の出力電圧もランプ状に上昇し始める。そしてこの電圧上昇は、入力端子ＩＮ１が「Ｈｉ」の間継続する。
【０１７２】
この出力電圧が電圧Ｖｒ（本実施の形態では、電圧Ｖｉ２と等しい）まで上昇したら、その後の時刻ｔ２で、入力端子ＩＮ１を「Ｌｏ」にする。具体的には入力端子ＩＮ１に、例えば０（Ｖ）を印加する。入力端子ＩＮ１を「Ｌｏ」にすると基準電位Ａの電位が電圧Ｖｓ（本実施の形態では、電圧Ｖｉ３と等しい）まで低下する。
【０１７３】
なお、この間、制御信号ＯＣ１、制御信号ＳＩＤ（１）〜制御信号ＳＩＤ（１２）は、「Ｈｉ」に保ったままにする。したがって、アンドゲートＡＧから出力される制御信号ＯＣ１’（１）〜制御信号ＯＣ１’（１２）も「Ｈｉ」となる。また、図示はしていないが、スイッチング素子ＳＷ２およびスイッチング素子ＳＷ３をオフにし、スイッチング素子ＳＷ１をオンにして電圧（Ｖａ＋Ｖｓｅｔ２）を発生させ、比較器ＣＰ１において、基準電位Ａ、すなわち初期化波形発生回路５１から出力される駆動電圧と電圧（Ｖａ＋Ｖｓｅｔ２）とが比較されるようにしておく。したがって、この間は基準電位Ａの方が電圧（Ｖａ＋Ｖｓｅｔ２）よりも電位が高いので、比較器ＣＰ１から出力される制御信号ＯＣ２は「Ｌｏ」となる。
【０１７４】
すなわち、制御信号ＯＣ１’（１）〜制御信号ＯＣ１’（１２）は「Ｈｉ」、制御信号ＯＣ２は「Ｌｏ」なので、全ての走査ＩＣ５５は「Ａｌｌ‐Ｌｏ」の状態であり、全ての走査ＩＣ５５の出力端子からは基準電位Ａ、すなわち、初期化波形発生回路５１から出力される駆動電圧がそのまま出力される。
【０１７５】
このようにして、放電開始電圧以下となる電圧Ｖｓ（本実施の形態では、電圧Ｖｉ１と等しい）から、放電開始電圧を超える電圧Ｖｒ（本実施の形態では、電圧Ｖｉ２と等しい）に向かって緩やかに上昇する上りランプ電圧Ｌ１を走査電極ＳＣ１〜走査電極ＳＣｎに印加する。
【０１７６】
次に、時刻ｔ３で、下りランプ電圧を発生するミラー積分回路５４の入力端子ＩＮ２に所定の定電流を入力して、入力端子ＩＮ２を「Ｈｉ」にする。すると、抵抗Ｒ２からコンデンサＣ２に向かって一定の電流が流れ、スイッチング素子Ｑ２のドレイン電圧がランプ状に下降して基準電位Ａの電位がランプ状に下降し、走査ＩＣ５５の出力電圧もランプ状に下降し始める。
【０１７７】
ここで、下りランプ電圧Ｌ２を出力させたい走査ＩＣ５５を制御する制御信号ＳＩＤは「Ｈｉ」に保ったままにする。例えば、走査ＩＣ（１）〜走査ＩＣ（６）から下りランプ電圧Ｌ２を出力させたいときには、制御信号ＳＩＤ（１）〜制御信号ＳＩＤ（６）は「Ｈｉ」に保ったままにする。これにより、制御信号ＯＣ１’（１）〜制御信号ＯＣ１’（６）は「Ｈｉ」の状態が保たれる。
【０１７８】
比較器ＣＰ１では、基準電位Ａの電圧、すなわち下りランプ電圧と、電圧（Ｖａ＋Ｖｓｅｔ２）とが比較されており、比較器ＣＰ１からの出力信号、すなわち制御信号ＯＣ２は、基準電位Ａにおける下りランプ電圧が電圧（Ｖａ＋Ｖｓｅｔ２）以下となる時刻ｔ５において「Ｌｏ」から「Ｈｉ」になる。
【０１７９】
これにより、下りランプ電圧Ｌ２を出力させたい走査ＩＣ５５（例えば、走査ＩＣ（１）〜走査ＩＣ（６））を制御する制御信号ＯＣ１’（例えば、制御信号ＯＣ１’（１）〜制御信号ＯＣ１’（６））および制御信号ＯＣ２は、時刻ｔ５において共に「Ｈｉ」となり、下りランプ電圧Ｌ２を出力させたい走査ＩＣ５５を「Ａｌｌ‐Ｈｉ」状態とすることができる。したがって、下りランプ電圧Ｌ２を出力させたい走査ＩＣ５５から出力される電圧は、時刻ｔ５に、入力端子ＩＮｂに入力される電圧、すなわち、基準電位Ａに電圧Ｖｓｃｎが重畳された電圧Ｖｃとなり、それまでの電圧降下が時刻ｔ５で電圧上昇に切換わる。これにより、下りランプ電圧Ｌ２を出力させたい走査ＩＣ５５から下りランプ電圧Ｌ２を出力させ、例えば、走査電極ＳＣ１〜走査電極ＳＣｎ／２に、最低電圧が電圧（Ｖａ＋Ｖｓｅｔ２）の下りランプ電圧Ｌ２を印加することができる。
【０１８０】
一方、下りランプ電圧Ｌ５を出力させたい走査ＩＣ５５を制御する制御信号ＳＩＤは、時刻ｔ３の前に「Ｈｉ」から「Ｌｏ」にする。例えば、走査ＩＣ（７）〜走査ＩＣ（１２）から下りランプ電圧Ｌ５を出力させたいときには、制御信号ＳＩＤ（７）〜制御信号ＳＩＤ（１２）を、時刻ｔ３の前に「Ｈｉ」から「Ｌｏ」にする。これにより、オアゲートＯＲ（７）〜オアゲートＯＲ（１２）からは、比較器ＣＰ２から出力される信号ＣＰＯが出力されるようになり、あわせてアンドゲートＡＧ（７）〜アンドゲートＡＧ（１２）からは、信号ＣＰＯが制御信号ＯＣ１’（７）〜制御信号ＯＣ１’（１２）として出力されるようになる。
【０１８１】
比較器ＣＰ２においては、基準電位Ａと電圧（Ｖａ＋Ｖｓｅｔ５）とが比較されるので、比較器ＣＰ２から出力される信号ＣＰＯは、基準電位Ａが電圧（Ｖａ＋Ｖｓｅｔ５）以下となる時刻ｔ４で「Ｈｉ」から「Ｌｏ」になる。
【０１８２】
これにより、下りランプ電圧Ｌ５を出力させたい走査ＩＣ５５（例えば、走査ＩＣ（７）〜走査ＩＣ（１２））を制御する制御信号ＯＣ１’（例えば、制御信号ＯＣ１’（７）〜制御信号ＯＣ１’（１２））を、時刻ｔ４に、「Ｈｉ」から「Ｌｏ」にすることができる。
【０１８３】
すなわち、下りランプ電圧Ｌ５を出力させたい走査ＩＣ５５を制御する制御信号ＯＣ１’および制御信号ＯＣ２は、時刻ｔ４において共に「Ｌｏ」となり、下りランプ電圧Ｌ５を出力させたい走査ＩＣ５５を「ＨｉＺ」状態とすることができる。したがって、下りランプ電圧Ｌ５を出力させたい走査ＩＣ５５の出力電圧は、時刻ｔ４時点の出力電圧がそのまま保持された電圧となり、例えば、走査電極ＳＣｎ／２＋１〜走査電極ＳＣｎに、最低電圧が電圧（Ｖａ＋Ｖｓｅｔ５）の下りランプ電圧Ｌ５を印加することができる。
【０１８４】
なお、走査ＩＣ５５は「ＤＡＴＡ」状態のときにのみ走査開始信号が有効に働くので、初期化期間において走査開始信号ＳＩＤ（７）が「Ｌｏ」になっても、走査ＩＣ（７）〜走査ＩＣ（１２）の動作には何ら影響を与えない。
【０１８５】
そして、初期化期間が終了する時刻ｔ６の前に、入力端子ＩＮ２に、例えば０（Ｖ）を印加して、入力端子ＩＮ２を「Ｌｏ」にする。
【０１８６】
以上のようにして、走査電極駆動回路４３は、下りランプ電圧Ｌ２を出力させたい走査ＩＣ５５（例えば、走査ＩＣ（１）〜走査ＩＣ（６））から電圧Ｖｉ３から電圧（Ｖａ＋Ｖｓｅｔ２）に向かって下降する下りランプ電圧Ｌ２を出力し、１回目の初期化動作から２回目の初期化動作までの間に走査すべき走査電極２２（例えば、走査電極ＳＣ１〜走査電極ＳＣｎ／２）に下りランプ電圧Ｌ２を印加する。
【０１８７】
一方、下りランプ電圧Ｌ５を出力させたい走査ＩＣ５５（例えば、走査ＩＣ（７）〜走査ＩＣ（１２））からは電圧Ｖｉ３から電圧（Ｖａ＋Ｖｓｅｔ５）に向かって下降する下りランプ電圧Ｌ５を出力し、２回目の初期化動作以降に走査すべき走査電極２２（例えば、走査電極ＳＣｎ／２＋１〜走査電極ＳＣｎ）に下りランプ電圧Ｌ５を印加する。こうして、初期化期間が終了する。
【０１８８】
（書込み期間）
書込み期間では、図示はしていないが、スイッチング素子Ｑ５をオンにして、基準電位Ａを負の電圧Ｖａに維持する。また、スイッチング素子ＳＷ１およびスイッチング素子ＳＷ３をオフにし、スイッチング素子ＳＷ２をオンにして電圧（Ｖａ＋Ｖｓｅｔ３）を発生させ、比較器ＣＰ１において、基準電位Ａ、すなわち負の電圧Ｖａと電圧（Ｖａ＋Ｖｓｅｔ３）とが比較されるようにしておく。したがって、この間は基準電位Ａの方が電圧（Ｖａ＋Ｖｓｅｔ３）よりも電位が低いので、比較器ＣＰ１から出力される制御信号ＯＣ２は「Ｈｉ」となる。
【０１８９】
また、時刻ｔ６で制御信号ＯＣ１を「Ｌｏ」にする。したがって、アンドゲートＡＧ（例えば、アンドゲートＡＧ（１）〜アンドゲートＡＧ（１２））から出力される制御信号ＯＣ１’（例えば、制御信号ＯＣ１’（１）〜制御信号ＯＣ１’（１２））も「Ｌｏ」となる。これにより、全ての走査ＩＣ５５は「ＤＡＴＡ」状態となって、走査開始信号により走査を開始する状態となる。
【０１９０】
書込み期間の前半では、まず、１回目の初期化動作から２回目の初期化動作までの間に走査する走査電極２２（例えば、走査電極ＳＣ１〜走査電極ＳＣｎ／２）に対して順次走査パルスを印加する。例えば、１回目の初期化動作の後、走査ＩＣ（１）、走査ＩＣ（２）、走査ＩＣ（３）、走査ＩＣ（４）、走査ＩＣ（５）、走査ＩＣ（６）の順に書込み動作させるときには、書込み期間開始直後の時刻ｔ７において走査開始信号ＳＩＤ（１）を所定の期間（例えば、クロック信号ＣＬＫの１周期分）「Ｌｏ」にする。これにより、走査ＩＣ（１）は走査を開始し、走査電極ＳＣ１から順次走査パルスが印加される。
【０１９１】
次に、走査ＩＣ（１）に接続された全ての走査電極２２の走査が終了するタイミングで走査開始信号ＳＩＤ（２）を所定の期間（例えば、クロック信号ＣＬＫの１周期分）「Ｌｏ」にする。これにより、走査ＩＣ（２）は走査を開始する。以降、同様に、走査開始信号ＳＩＤ（３）〜走査開始信号ＳＩＤ（６）を、所定の期間「Ｌｏ」にしていく。こうして、走査ＩＣ（１）〜走査ＩＣ（６）に順次書込み動作させ、走査電極ＳＣ１〜走査電極ＳＣｎ／２を走査する。
【０１９２】
次に、時刻ｔ８で、制御信号ＯＣ１を「Ｈｉ」にする。走査開始信号ＳＩＤ（例えば、走査開始信号ＳＩＤ（１）〜走査開始信号ＳＩＤ（１２））は「Ｈｉ」に維持されたままなので、アンドゲートＡＧから出力される制御信号ＯＣ１’（例えば、制御信号ＯＣ１’（１）〜制御信号ＯＣ１’（１２））も「Ｈｉ」となる。また、図示はしていないが、時刻ｔ８でスイッチング素子Ｑ５をオフにし、あわせて、維持パルス発生回路５２のクランプ回路を動作させ、基準電位Ａを０（Ｖ）にする。
【０１９３】
これにより、基準電位Ａの方が電圧（Ｖａ＋Ｖｓｅｔ２）よりも電位が高くなるので、比較器ＣＰ１から出力される制御信号ＯＣ２は「Ｌｏ」となる。すなわち、制御信号ＯＣ１’（例えば、制御信号ＯＣ１’（１）〜制御信号ＯＣ１’（１２））が「Ｈｉ」、制御信号ＯＣ２が「Ｌｏ」となって、全ての走査ＩＣ５５は「Ａｌｌ‐Ｌｏ」状態となり、全ての走査ＩＣ５５の出力端子からは基準電位Ａ（本実施の形態では、０（Ｖ））が出力される。
【０１９４】
その後の時刻ｔ９で、下りランプ電圧を発生するミラー積分回路５４の入力端子ＩＮ２に所定の定電流を入力して、入力端子ＩＮ２を「Ｈｉ」にする。これにより、スイッチング素子Ｑ２のドレイン電圧がランプ状に下降して基準電位Ａの電位がランプ状に下降し、走査ＩＣ５５の出力電圧もランプ状に下降し始める。
【０１９５】
比較器ＣＰ１では、この基準電位Ａにおける下りランプ電圧と電圧（Ｖａ＋Ｖｓｅｔ３）とが比較されており、比較器ＣＰ１から出力される制御信号ＯＣ２は、基準電位Ａにおける下りランプ電圧が電圧（Ｖａ＋Ｖｓｅｔ３）以下となる時刻ｔ１０において「Ｌｏ」から「Ｈｉ」になる。これにより、制御信号ＯＣ１’（例えば、制御信号ＯＣ１’（１）〜制御信号ＯＣ１’（１２））、制御信号ＯＣ２は共に「Ｈｉ」となって全ての走査ＩＣ５５は「Ａｌｌ‐Ｈｉ」状態となり、走査ＩＣ５５の入力端子ＩＮｂに入力される電圧、すなわち、基準電位Ａに電圧Ｖｓｃｎが重畳された電圧Ｖｃが走査ＩＣ５５の出力電圧となる。これにより、走査電極ＳＣ１〜走査電極ＳＣｎに印加される下りランプ電圧は最低電圧が電圧（Ｖａ＋Ｖｓｅｔ３）の下りランプ電圧Ｌ６となる。
【０１９６】
そして、下りランプ電圧Ｌ６を発生させた後の時刻ｔ１１で、入力端子ＩＮ２を「Ｌｏ」にする。以上のようにして、走査電極駆動回路４３は、下りランプ電圧Ｌ６を発生させ、まだ走査がなされていない走査電極２２（例えば、走査電極ＳＣｎ／２＋１〜走査電極ＳＣｎ）への走査を開始する前に、下りランプ電圧Ｌ５を印加した放電セルに２回目の初期化放電を発生させる。
【０１９７】
また、時刻ｔ１１では、図示はしていないが、スイッチング素子Ｑ５をオンにして基準電位Ａを負の電圧Ｖａに維持する。また、スイッチング素子ＳＷ１およびスイッチング素子ＳＷ２をオフにし、スイッチング素子ＳＷ３をオンにして電圧（Ｖａ＋Ｖｓｅｔ４）を発生させ、比較器ＣＰ１において、基準電位Ａ、すなわち負の電圧Ｖａと電圧（Ｖａ＋Ｖｓｅｔ４）とが比較されるようにしておく。したがって、この間は基準電位Ａの方が電圧（Ｖａ＋Ｖｓｅｔ４）よりも電位が低いので、比較器ＣＰ１から出力される制御信号ＯＣ２は「Ｈｉ」となる。
【０１９８】
また、時刻ｔ１１では制御信号ＯＣ１を「Ｈｉ」から「Ｌｏ」にする。したがって、アンドゲートＡＧ（例えば、アンドゲートＡＧ（１）〜アンドゲートＡＧ（１２））から出力される制御信号ＯＣ１’（例えば、制御信号ＯＣ１’（１）〜制御信号ＯＣ１’（１２））も「Ｌｏ」となる。これにより、全ての走査ＩＣ５５は「ＤＡＴＡ」状態となって、走査開始信号ＳＩＤにより走査を開始する状態となる。
【０１９９】
書込み期間の後半では、まだ走査がなされていない走査電極２２（例えば、走査電極ＳＣｎ／２＋１〜走査電極ＳＣｎ）に対して順次走査パルスを印加する。例えば、２回目の初期化動作の後、走査ＩＣ（７）、走査ＩＣ（８）、走査ＩＣ（９）、走査ＩＣ（１０）、走査ＩＣ（１１）、走査ＩＣ（１２）の順に書込み動作させるときには、書込み期間の後半開始直後の時刻ｔ１２において走査開始信号ＳＩＤ（７）を所定の期間（例えば、クロック信号ＣＬＫの１周期分）「Ｌｏ」にする。これにより、走査ＩＣ（７）は走査を開始し、走査電極ＳＣｎ／２＋１から順次走査パルスが印加される。
【０２００】
次に、走査ＩＣ（７）に接続された全ての走査電極２２の走査が終了するタイミングで走査開始信号ＳＩＤ（８）を所定の期間（例えば、クロック信号ＣＬＫの１周期分）「Ｌｏ」にする。これにより、走査ＩＣ（８）は走査を開始する。以降、同様に、走査開始信号ＳＩＤ（９）〜走査開始信号ＳＩＤ（１２）を、所定の期間「Ｌｏ」にしていく。こうして、走査ＩＣ（７）〜走査ＩＣ（１２）に順次書込み動作させ、走査電極ＳＣｎ／２＋１〜走査電極ＳＣｎを走査する。
【０２０１】
（維持期間）
そして、全ての走査電極２２への走査が終了して書込み期間が終了した後の時刻ｔ１３で、制御信号ＯＣ１を「Ｈｉ」にする。走査開始信号ＳＩＤ（例えば、走査開始信号ＳＩＤ（１）〜走査開始信号ＳＩＤ（１２））は「Ｈｉ」に維持されたままなので、アンドゲートＡＧから出力される制御信号ＯＣ１’（例えば、制御信号ＯＣ１’（１）〜制御信号ＯＣ１’（１２））も「Ｈｉ」になる。
【０２０２】
また、図示はしていないが、時刻ｔ１３でスイッチング素子Ｑ５をオフにし、あわせて、維持パルス発生回路５２のクランプ回路を動作させ、基準電位Ａを０（Ｖ）にする。
【０２０３】
これにより、基準電位Ａの方が電圧（Ｖａ＋Ｖｓｅｔ４）よりも電位が高くなるので、比較器ＣＰ１から出力される制御信号ＯＣ２は、時刻ｔ１３で「Ｈｉ」から「Ｌｏ」になる。すなわち、制御信号ＯＣ１’（例えば、制御信号ＯＣ１’（１）〜制御信号ＯＣ１’（１２））が「Ｈｉ」、制御信号ＯＣ２が「Ｌｏ」なので、全ての走査ＩＣ５５は「Ａｌｌ‐Ｌｏ」状態となり、走査ＩＣ５５の出力端子からは基準電位Ａ（本実施の形態では、０（Ｖ））が出力される。
【０２０４】
続いて、詳細は省略するが維持パルス発生回路５２の電力回収回路およびクランプ回路を交互に動作させ、あらかじめ定められた回数の維持パルスを発生させる。そして、維持期間の最後に、消去ランプ電圧Ｌ３を発生させる。こうして、維持期間が終了する。
【０２０５】
（初期化期間）
続く初期化期間では、図示はしていないが、スイッチング素子Ｑ５はオフに維持したまま、スイッチング素子ＳＷ３をオンにして電圧（Ｖａ＋Ｖｓｅｔ４）を発生させ、比較器ＣＰ１において、基準電位Ａ（本実施の形態では、０（Ｖ））と電圧（Ｖａ＋Ｖｓｅｔ４）とが比較されるようにしておく。基準電位Ａの方が電圧（Ｖａ＋Ｖｓｅｔ４）よりも電位が高いので、比較器ＣＰ１から出力される制御信号ＯＣ２は、維持期間に引き続き「Ｌｏ」のままである。また、制御信号ＯＣ１も維持期間に引き続き「Ｈｉ」に維持したままにしておく。
【０２０６】
制御信号ＯＣ１’（例えば、制御信号ＯＣ１’（１）〜制御信号ＯＣ１’（１２））が「Ｈｉ」、制御信号ＯＣ２が「Ｌｏ」なので、全ての走査ＩＣ５５は「Ａｌｌ‐Ｌｏ」状態のままであり、全ての走査ＩＣ５５の出力端子からは基準電位Ａ、すなわち、初期化波形発生回路５１から出力される駆動電圧がそのまま出力される。
【０２０７】
そして、時刻ｔ１４で、下りランプ電圧を発生するミラー積分回路５４の入力端子ＩＮ２に所定の定電流を入力して、入力端子ＩＮ２を「Ｈｉ」にする。これにより、スイッチング素子Ｑ２のドレイン電圧がランプ状に下降して基準電位Ａの電位がランプ状に下降し、走査ＩＣ５５の出力電圧もランプ状に下降し始める。
【０２０８】
ここで、下りランプ電圧Ｌ４を出力させたい走査ＩＣ５５を制御する制御信号ＳＩＤは、下りランプ電圧Ｌ２を発生させるときと同様に、「Ｈｉ」に保ったままにする。例えば、走査ＩＣ（１）〜走査ＩＣ（６）から下りランプ電圧Ｌ４を出力させたいときには、制御信号ＳＩＤ（１）〜制御信号ＳＩＤ（６）は「Ｈｉ」に保ったままにする。これにより、制御信号ＯＣ１’（１）〜制御信号ＯＣ１’（６）は「Ｈｉ」の状態が保たれる。
【０２０９】
比較器ＣＰ１では、基準電位Ａの電圧、すなわち下りランプ電圧と、電圧（Ｖａ＋Ｖｓｅｔ４）とが比較されており、比較器ＣＰ１からの出力される制御信号ＯＣ２は、基準電位Ａにおける下りランプ電圧が電圧（Ｖａ＋Ｖｓｅｔ４）以下となる時刻ｔ１６において「Ｌｏ」から「Ｈｉ」になる。
【０２１０】
これにより、下りランプ電圧Ｌ４を出力させたい走査ＩＣ５５（例えば、走査ＩＣ（１）〜走査ＩＣ（６））を制御する制御信号ＯＣ１’（例えば、制御信号ＯＣ１’（１）〜制御信号ＯＣ１’（６））および制御信号ＯＣ２は、時刻ｔ１６において共に「Ｈｉ」となり、下りランプ電圧Ｌ４を出力させたい走査ＩＣ５５を「Ａｌｌ‐Ｈｉ」状態とすることができる。したがって、下りランプ電圧Ｌ４を出力させたい走査ＩＣ５５から出力される電圧は、時刻ｔ１６に、入力端子ＩＮｂに入力される電圧、すなわち、基準電位Ａに電圧Ｖｓｃｎが重畳された電圧Ｖｃとなり、それまでの電圧降下が時刻ｔ１６で電圧上昇に切換わる。これにより、下りランプ電圧Ｌ４を出力させたい走査ＩＣ５５から下りランプ電圧Ｌ４を出力させ、例えば、走査電極ＳＣ１〜走査電極ＳＣｎ／２に、最低電圧が電圧（Ｖａ＋Ｖｓｅｔ４）の下りランプ電圧Ｌ４を印加することができる。
【０２１１】
一方、下りランプ電圧Ｌ７を出力させたい走査ＩＣ５５を制御する制御信号ＳＩＤは、下りランプ電圧Ｌ５を発生させるときと同様に、時刻ｔ１４の前に「Ｈｉ」から「Ｌｏ」にする。例えば、走査ＩＣ（７）〜走査ＩＣ（１２）から下りランプ電圧Ｌ７を出力させたいときには、制御信号ＳＩＤ（７）〜制御信号ＳＩＤ（１２）を、時刻ｔ１４の前に「Ｈｉ」から「Ｌｏ」にする。これにより、オアゲートＯＲ（７）〜オアゲートＯＲ（１２）からは、比較器ＣＰ２から出力される信号ＣＰＯが出力されるようになり、アンドゲートＡＧ（７）〜アンドゲートＡＧ（１２）からは、信号ＣＰＯが制御信号ＯＣ１’（７）〜制御信号ＯＣ１’（１２）として出力されるようになる。
【０２１２】
比較器ＣＰ２においては、基準電位Ａと電圧（Ｖａ＋Ｖｓｅｔ５）とが比較されるので、比較器ＣＰ２から出力される信号ＣＰＯは、基準電位Ａが電圧（Ｖａ＋Ｖｓｅｔ５）以下となる時刻ｔ１５で「Ｈｉ」から「Ｌｏ」になる。
【０２１３】
これにより、下りランプ電圧Ｌ７を出力させたい走査ＩＣ５５（例えば、走査ＩＣ（７）〜走査ＩＣ（１２））を制御する制御信号ＯＣ１’（例えば、制御信号ＯＣ１’（７）〜制御信号ＯＣ１’（１２））を、時刻ｔ１５に、「Ｈｉ」から「Ｌｏ」にすることができる。
【０２１４】
すなわち、下りランプ電圧Ｌ７を出力させたい走査ＩＣ５５を制御する制御信号ＯＣ１’および制御信号ＯＣ２は、時刻ｔ１５において共に「Ｌｏ」となり、下りランプ電圧Ｌ７を出力させたい走査ＩＣ５５を「ＨｉＺ」状態とすることができる。したがって、下りランプ電圧Ｌ７を出力させたい走査ＩＣ５５の出力電圧は、時刻ｔ１５時点の出力電圧がそのまま保持された電圧となり、例えば、走査電極ＳＣｎ／２＋１〜走査電極ＳＣｎに、最低電圧が電圧（Ｖａ＋Ｖｓｅｔ５）の下りランプ電圧Ｌ７を印加することができる。
【０２１５】
そして、初期化期間が終了する時刻ｔ１７の前に、入力端子ＩＮ２に、例えば０（Ｖ）を印加して、入力端子ＩＮ２を「Ｌｏ」にする。
【０２１６】
以上のようにして、走査電極駆動回路４３は、下りランプ電圧Ｌ４を出力させたい走査ＩＣ５５（例えば、走査ＩＣ（１）〜走査ＩＣ（６））から電圧Ｖｉ３から電圧（Ｖａ＋Ｖｓｅｔ４）に向かって下降する下りランプ電圧Ｌ４を出力し、１回目の初期化動作から２回目の初期化動作までの間に走査すべき走査電極２２（例えば、走査電極ＳＣ１〜走査電極ＳＣｎ／２）に下りランプ電圧Ｌ４を印加する。
【０２１７】
一方、下りランプ電圧Ｌ７を出力させたい走査ＩＣ５５（例えば、走査ＩＣ（７）〜走査ＩＣ（１２））からは電圧Ｖｉ３から電圧（Ｖａ＋Ｖｓｅｔ５）に向かって下降する下りランプ電圧Ｌ７を出力し、２回目の初期化動作以降に走査すべき走査電極２２（例えば、走査電極ＳＣｎ／２＋１〜走査電極ＳＣｎ）に下りランプ電圧Ｌ７を印加する。こうして、初期化期間が終了する。
【０２１８】
続く書込み期間、維持期間、およびそれ以降の各動作は、上述した動作と同様である。
【０２１９】
なお、上述したタイミングチャートは単なる一動作例を示したものに過ぎない。本実施の形態においては、検出された部分点灯率に応じて書込み期間における走査ＩＣ５５の書込み動作の順序を変更するので、その変更に応じて、下りランプ電圧Ｌ２（または、下りランプ電圧Ｌ４）を出力する走査ＩＣ５５と、下りランプ電圧Ｌ５（または、下りランプ電圧Ｌ７）を出力する走査ＩＣ５５とを変更するものとする。
【０２２０】
例えば、図１６に示す例では、１回目の初期化動作の後、領域（１）、領域（３）、領域（５）、領域（７）、領域（９）、領域（１１）の順に走査し、続く２回目の初期化動作の後、領域（２）、領域（４）、領域（６）、領域（８）、領域（１０）、領域（１２）の順に走査する。そのため、初期化期間においては、走査ＩＣ（１）、走査ＩＣ（３）、走査ＩＣ（５）、走査ＩＣ（７）、走査ＩＣ（９）、走査ＩＣ（１１）には下りランプ電圧Ｌ２（または、下りランプ電圧Ｌ４）を印加し、走査ＩＣ（２）、走査ＩＣ（４）、走査ＩＣ（６）、走査ＩＣ（８）、走査ＩＣ（１０）、走査ＩＣ（１２）には下りランプ電圧Ｌ５（または、下りランプ電圧Ｌ７）を印加する。走査ＩＣ（１）、走査ＩＣ（３）、走査ＩＣ（５）、走査ＩＣ（７）、走査ＩＣ（９）、走査ＩＣ（１１）に印加する下りランプ電圧を下りランプ電圧Ｌ２（または、下りランプ電圧Ｌ４）にするためには、初期化期間の間、走査開始信号ＳＩＤ（１）、走査開始信号ＳＩＤ（３）、走査開始信号ＳＩＤ（５）、走査開始信号ＳＩＤ（７）、走査開始信号ＳＩＤ（９）、走査開始信号ＳＩＤ（１１）を「Ｈｉ」に維持し、走査ＩＣ（２）、走査ＩＣ（４）、走査ＩＣ（６）、走査ＩＣ（８）、走査ＩＣ（１０）、走査ＩＣ（１２）に印加する下りランプ電圧を下りランプ電圧Ｌ５（または、下りランプ電圧Ｌ７）にするためには、時刻ｔ（３）の前（または、時刻ｔ１４の前）に、走査開始信号ＳＩＤ（２）、走査開始信号ＳＩＤ（４）、走査開始信号ＳＩＤ（６）、走査開始信号ＳＩＤ（８）、走査開始信号ＳＩＤ（１０）、走査開始信号ＳＩＤ（１２）を「Ｈｉ」から「Ｌｏ」にすればよい。
【０２２１】
そして、書込み期間においては、走査ＩＣ（１）、走査ＩＣ（３）、走査ＩＣ（５）、走査ＩＣ（７）、走査ＩＣ（９）、走査ＩＣ（１１）の順に書込み動作するように各走査開始信号ＳＩＤを発生し、２回目の初期化動作の後、走査ＩＣ（２）、走査ＩＣ（４）、走査ＩＣ（６）、走査ＩＣ（８）、走査ＩＣ（１０）、走査ＩＣ（１２）の順に書込み動作するように各走査開始信号ＳＩＤを発生させればよい。
【０２２２】
以上示したように、本実施の形態によれば、初期化動作を複数回行うことで初期化動作から書込み動作までの経過時間を短くすることができる領域を増やすことができ、かつ、部分点灯率が高い領域ほど初期化動作から書込み動作までの経過時間を短くして書込みを行えるので、大画面化、高輝度化、高精細化されたパネルにおいても、安定した書込み放電を発生させるために必要な走査パルス電圧（振幅）が増大することを防止して安定した書込み放電を発生させることが可能となる。
【０２２３】
（実施の形態３）
実施の形態３では、輝度倍率を、画像信号の平均輝度レベル（ＡＰＬ：Ａｖｅｒａｇｅ  Ｐｉｃｔｕｒｅ  Ｌｅｖｅｌ）に応じて変化させる構成について説明する。
【０２２４】
図２０は、本発明の実施の形態３におけるプラズマディスプレイ装置２の回路ブロック図である。プラズマディスプレイ装置２は、パネル１０、画像信号処理回路４１、データ電極駆動回路４２、走査電極駆動回路４３、維持電極駆動回路４４、タイミング発生回路５７、部分点灯率検出回路４７、点灯率比較回路４８、ＡＰＬ検出回路４９、および各回路ブロックに必要な電源を供給する電源回路（図示せず）を備えている。なお、ＡＰＬ検出回路４９およびタイミング発生回路５７を除く各回路ブロックは実施の形態１において図４に示した同名の回路ブロックと同様の構成および同様の動作であるものとする。
【０２２５】
ＡＰＬ検出回路４９は、入力された画像信号の輝度値を１フィールド期間または１フレーム期間にわたって累積する等の一般に知られた手法を用いることによってＡＰＬを検出し、検出した結果をタイミング発生回路５７に送信する。また、検出したＡＰＬをあらかじめ定めた閾値と比較し、検出したＡＰＬが閾値以上か閾値未満かを判断して、その結果をタイミング発生回路５７に送信する。
【０２２６】
そして、タイミング発生回路５７は、水平同期信号Ｈ、垂直同期信号Ｖ、点灯率比較回路４８からの出力およびＡＰＬ検出回路４９からの出力にもとづき各回路ブロックの動作を制御する各種のタイミング信号を発生し、それぞれの回路ブロックへ供給する。このとき、タイミング発生回路５７は、ＡＰＬ検出回路４９において検出されたＡＰＬに応じて、輝度倍率を変更するものとする。また、検出されたＡＰＬが閾値以上か閾値未満かによって、所定のサブフィールドを２相駆動にするか１相駆動にするかを設定するものとする。
【０２２７】
図２１は、本発明の実施の形態３におけるＡＰＬと輝度倍率の関係を示す概略図である。
【０２２８】
本実施の形態では、図２１に示すように、ＡＰＬ１００％の画像を表示するときの輝度倍率を「１倍」とし、ＡＰＬ１０％以下の画像を表示するときの輝度倍率を「５倍」とし、ＡＰＬ１００％からＡＰＬ１０％の間では輝度倍率を「１倍」から「５倍」の間で徐々に変化させている。
【０２２９】
例えば、１フィールドを８つのサブフィールド（第１ＳＦ、第２ＳＦ、・・・、第８ＳＦ）で構成するとともに各サブフィールドの輝度重みをそれぞれ１、２、４、８、１６、３２、６４、１２８に設定した状態で、輝度倍率を「１倍」にすると、各サブフィールドの維持期間における維持パルス数はそれぞれ１、２、４、８、１６、３２、６４、１２８となる。また、輝度倍率を「２倍」にすると、各サブフィールドの維持パルス数はそれぞれ２、８、３２、１２８、４、１６、６４、２５６となる。１フィールドで発光させることができる最大輝度は、維持パルスの数に比例するので、このように輝度倍率を大きくして維持パルス数を増やすほど、より明るい画像を表示することができる。
【０２３０】
すなわち、ＡＰＬが低いときに輝度倍率を大きくすることで、暗い画像をより明るく表示し、画像表示品質を高めることができる。
【０２３１】
なお、ＡＰＬが高い画像は全体的に輝度値の高い画像となるため、仮に輝度倍率を大きくしても、全体的な明るさが増すだけで画像のダイナミック感にそれほど大きな変化はない。逆に、ＡＰＬが高い画像で輝度倍率を上げると消費電力が増大するといった問題が生じる。それに対し、ＡＰＬが低い画像は、全体的に輝度値が低く、あるいは、輝度値の高い領域が存在してもそれは一部の領域に過ぎないため、輝度倍率を上げることで、消費電力の増加を抑えつつ、暗い部分と明るい部分との輝度差をさらに大きくすることができ、よりダイナミックな迫力のある画像を表示することが可能となる。
【０２３２】
このように、本実施の形態では、図２１に示すようにＡＰＬに応じて輝度倍率を変化させることで、消費電力の増加を抑えつつ、ダイナミックで迫力のある画像を表示することが可能となる。
【０２３３】
なお、輝度倍率が大きくなって維持パルス数が増加すると、１枚の画像を表示するのに費やす時間（駆動時間）が長くなるといった問題が発生する。例えば、輝度倍率が大きくなることで、１枚の画像を表示するのに費やす時間（駆動時間）が１フィールドに収まらなくなるといった問題が発生するおそれもある。
【０２３４】
そこで、本実施の形態では、ＡＰＬ検出回路４９においてＡＰＬは閾値以上と判断されたときには、輝度重みの最も大きいサブフィールドを含む１つ以上のサブフィールドにおいて２相駆動を行うとともにランダムスキャンを行い、ＡＰＬ検出回路４９において平均輝度レベルは閾値未満と判断されたときには、上述した１つ以上のサブフィールドのうち少なくとも輝度重みの最も大きいサブフィールドにおいて２相駆動を１相駆動に変更するものとする。
【０２３５】
図２２は、本発明の実施の形態３におけるＡＰＬと２相駆動を行うサブフィールドとの関係を示す図である。なお、本実施の形態では、１フィールドを８つのサブフィールド（第１ＳＦ、第２ＳＦ、・・・、第８ＳＦ）で構成するとともに各サブフィールドの輝度重みをそれぞれ１、２、４、８、１６、３２、６４、１２８に設定するものとして、以下の説明を行う。また、本実施の形態では、閾値を、例えば「１５％」に設定し、ＡＰＬ検出回路４９において、検出したＡＰＬとその閾値とを比較するものとする。なお、図２２では、検出したＡＰＬが閾値未満のときを「低ＡＰＬ」と記し、閾値以上のときを「高ＡＰＬ」と記す。
【０２３６】
そして、図２２に示すように、本実施の形態では、検出したＡＰＬが閾値以上のとき、すなわち「高ＡＰＬ」のときには、輝度重みの最も大きいサブフィールドを含む１つ以上のサブフィールド、例えば、第１ＳＦから第８ＳＦまでの全てのサブフィールドにおいて２相駆動を行うとともにランダムスキャンを行うものとする。ランダムスキャンを行うと、部分点灯率が高い領域ほど初期化動作から書込み動作までの経過時間を短くして書込みを行うことができる。また、２相駆動を行うと、初期化動作から書込み動作までの経過時間を短くすることができる領域を増やすことができる。したがって、実施の形態２にも示したように、ランダムスキャンと２相駆動とを組み合わせて行うことで、それらの相乗効果を得ることができ、安定した書込み放電を発生させるために必要な走査パルス電圧（振幅）が増大することを防止して安定した書込み放電を発生させることが可能となる。
【０２３７】
また、検出したＡＰＬが閾値未満のとき、すなわち「低ＡＰＬ」のときには、上述した１つ以上のサブフィールドのうち少なくとも輝度重みの最も大きいサブフィールド、例えば、第８ＳＦを、２相駆動から１相駆動に変更する。ＡＰＬの低い画像を表示するときには、図２１に示すように、輝度倍率が上がって維持パルス数が増加し、駆動時間が増加する。しかし、所定のサブフィールド（本実施の形態では、第８ＳＦ）を２相駆動から１相駆動に変更することで、初期化回数を減らした分、駆動時間を低減することができるので、維持パルス数の増加による駆動時間の増加を補うことができる。
【０２３８】
なお、一般に視聴されている動画像のうちＡＰＬが比較的低いと判断できる画像においては、輝度重みが最も大きいサブフィールドにおいて点灯セルが局所的に集中するパターン（例えば、夜空の月や暗い背景に明るい光を浴びた人の顔等）が比較的多いことが確認された。ランダムスキャンでは、部分点灯率が大きい領域を先に走査する。したがって、点灯セルが局所的に集中するサブフィールドでは、２相駆動を行わずとも、ランダムスキャンを行うだけで、実施の形態１に示した安定した書込み放電を発生させる効果を十分に得ることができる。
【０２３９】
すなわち、「低ＡＰＬ」のときに、所定のサブフィールド（本実施の形態では、第８ＳＦ）を２相駆動から１相駆動に変更することで、輝度倍率の増加によって１枚の画像を表示するのに費やす時間が１フィールドに収まらなくなるといった問題が発生するのを防止しつつ、ランダムスキャンにより、安定した書込み放電を発生させるために必要な走査パルス電圧（振幅）が増大することを防止して安定した書込み放電を発生させることが可能となる。
【０２４０】
以上示したように、本実施の形態によれば、画像信号のＡＰＬに応じて維持パルスの発生数を変化させるような構成であっても、パネル１０の駆動に要する時間を確保しつつ、安定した書込み放電を発生させるために必要な走査パルス電圧（振幅）が増大することを防止して安定した書込み放電を発生させることが可能となる。
【０２４１】
なお、本実施の形態では、検出したＡＰＬと比較する閾値を「１５％」に設定する構成を説明したが、本発明は、閾値が何らこの数値に限定されるものではない。本実施の形態では、輝度重みの最も大きいサブフィールドにおける、全放電セル数に対する点灯させるべき放電セル数の割合（以下、「点灯率」と呼称する）が比較的低いとみなせるＡＰＬの上限を、上述の閾値の値として設定しているが、この閾値は、パネル１０の特性やプラズマディスプレイ装置２の仕様等に応じて最適に設定することが望ましい。
【０２４２】
なお、本実施の形態では、「低ＡＰＬ」のときに、輝度重みの最も大きいサブフィールドを２相駆動から１相駆動に変更する構成を説明したが、本発明は何らこの構成に限定されるものではない。図２３は、本発明の実施の形態３におけるＡＰＬと２相駆動を行うサブフィールドとの関係の他の例を示す図である。なお、図２３に示す例では、図２２に示した例と同様に、１フィールドを８つのサブフィールド（第１ＳＦ、第２ＳＦ、・・・、第８ＳＦ）で構成するとともに各サブフィールドの輝度重みをそれぞれ１、２、４、８、１６、３２、６４、１２８に設定するものとする。
【０２４３】
例えば、図２３（ａ）に示すように、「高ＡＰＬ」では、「輝度重みの最も大きいサブフィールドを含む１つ以上のサブフィールド」を第５ＳＦから第８ＳＦまでの４つのサブフィールドとし、それらのサブフィールドにおいては２相駆動を行い、残りの第１ＳＦから第４ＳＦまでは１相駆動を行うものとし、「低ＡＰＬ」では、「上述した１つ以上のサブフィールドのうち少なくとも輝度重みの最も大きいサブフィールド」として第８ＳＦを２相駆動から１相駆動に変更する構成としてもよい。この構成では、図２２に示した例よりも、１相駆動を行うサブフィールドの数を多くしているので、輝度倍率をさらに高くすることが可能となる。このとき、「低ＡＰＬ」の画像を表示するときの駆動時間に余裕があれば、例えば、第４ＳＦを１相駆動から２相駆動に変更してもよい。「低ＡＰＬ」の画像では、「高ＡＰＬ」の画像と比較して、比較的輝度重みの小さいサブフィールドにおける発光状態が表示画像の画像表示品質に占める重要性が高くなるので、これにより画像表示品質をより高めることができる。
【０２４４】
また、図２３（ｂ）に示すように、検出したＡＰＬと比較する閾値を、例えば２つ用意し、比較結果を「高ＡＰＬ」、「中ＡＰＬ」、「低ＡＰＬ」の３つに分ける構成としてもよい。この構成では、例えば、高ＡＰＬでは第７ＳＦ、第８ＳＦを２相駆動とし、中ＡＰＬでは第７ＳＦを２相駆動、第８ＳＦを１相駆動とし、低ＡＰＬでは第７ＳＦ、第８ＳＦを１相駆動とする等、ＡＰＬと２相駆動を行うサブフィールドとの関係をより細かく設定することが可能となる。
【０２４５】
なお、図２１では輝度倍率の最大値を５倍としているが、これは、輝度重みと維持パルスのパルス幅および維持期間に割り当てることのできる時間との関係において上限値を定めているに過ぎず、輝度倍率の最大値が何らこの数値に限定されるものではない。輝度倍率の最大値および輝度倍率とＡＰＬとの関係は、パネル１０の特性やプラズマディスプレイ装置２の仕様等に応じて最適に設定すればよい。
【０２４６】
なお、本発明における実施の形態は、走査電極２２と走査電極２２とが隣り合い、維持電極２３と維持電極２３とが隣り合う電極構造、すなわち前面板２１に設けられる電極の配列が、「・・・走査電極、走査電極、維持電極、維持電極、走査電極、走査電極、・・・」となる電極構造のパネルにおいても、有効である。
【０２４７】
なお、本発明の実施の形態では、消去ランプ電圧Ｌ３を走査電極ＳＣ１〜走査電極ＳＣｎに印加する構成を説明したが、消去ランプ電圧Ｌ３を維持電極ＳＵ１〜維持電極ＳＵｎに印加する構成とすることもできる。あるいは、消去ランプ電圧Ｌ３ではなく、いわゆる細幅消去パルスにより消去放電を発生させる構成としてもよい。
【０２４８】
なお、本発明の実施の形態において示した具体的な数値は、５０インチ、表示電極対２４の数が１０８０対のパネル１０の特性にもとづき設定したものであって、単に実施の形態における一例を示したものに過ぎない。本発明はこれらの数値に何ら限定されるものではなく、各数値はパネル１０の特性やプラズマディスプレイ装置１、２の仕様等にあわせて最適に設定することが望ましい。また、サブフィールド数や各サブフィールドの輝度重み等も本実施の形態に示した値に限定されるものではなく、また、画像信号等にもとづいてサブフィールド構成を切換える構成であってもよい。
【産業上の利用可能性】
【０２４９】
本発明は、大画面化、高精細化されたパネルにおいても、安定した書込み放電を発生させるために必要な走査パルス電圧（振幅）が増大することを防止して安定した書込み放電を発生させ、高い画像表示品質を実現することができるので、プラズマディスプレイ装置およびパネルの駆動方法として有用である。
【図面の簡単な説明】
【０２５０】
【図１】本発明の実施の形態１におけるパネルの構造を示す分解斜視図
【図２】同パネルの電極配列図
【図３】同パネルの各電極に印加する駆動電圧波形図
【図４】本発明の実施の形態１におけるプラズマディスプレイ装置の回路ブロック図
【図５】同プラズマディスプレイ装置の走査電極駆動回路の構成を示す回路図
【図６】本発明の実施の形態１における部分点灯率を検出する領域と走査ＩＣとの接続の一例を示す概略図
【図７】本発明の実施の形態１における走査ＩＣの書込み動作の順序の一例を示す概略図
【図８】本発明の実施の形態１における走査ＩＣの書込み動作の順序と安定した書込み放電を発生させるために必要な走査パルス電圧（振幅）との関係を示す特性図
【図９】本発明の実施の形態１における部分点灯率と安定した書込み放電を発生させるために必要な走査パルス電圧（振幅）との関係を示す特性図
【図１０】本発明の実施の形態１における走査ＩＣ切換え回路の一構成例を示す回路ブロック図
【図１１】本発明の実施の形態１におけるＳＩＤ発生回路の一構成例を示す回路図
【図１２】本発明の実施の形態１における走査ＩＣ切換え回路の動作を説明するためのタイミングチャート
【図１３】本発明の実施の形態１における走査ＩＣ切換え動作の他の一例を説明するためのタイミングチャート
【図１４】本発明の実施の形態２におけるパネルの各電極に印加する駆動電圧波形図
【図１５】本発明の実施の形態２における２相駆動を行うときに安定した書込み放電を発生させるために必要な走査パルス電圧（振幅）と走査の順番との関係を概略的に示す特性図
【図１６】本発明の実施の形態２における所定の画像を２相駆動で表示するときの部分点灯率に応じた走査順序の一例を示す概略図
【図１７】本発明の実施の形態２における走査電極駆動回路の回路図
【図１８】本発明の実施の形態２における制御信号ＯＣ１’、制御信号ＯＣ２と走査ＩＣの動作状態との対応関係を説明するための図
【図１９】本発明の実施の形態２における走査電極駆動回路の動作の一例を説明するためのタイミングチャート
【図２０】本発明の実施の形態３におけるプラズマディスプレイ装置の回路ブロック図
【図２１】本発明の実施の形態３におけるＡＰＬと輝度倍率の関係を示す概略図
【図２２】本発明の実施の形態３におけるＡＰＬと２相駆動を行うサブフィールドとの関係を示す図
【図２３】本発明の実施の形態３におけるＡＰＬと２相駆動を行うサブフィールドとの関係の他の例を示す図
【符号の説明】
【０２５１】
１，２    プラズマディスプレイ装置
１０    パネル
２１    （ガラス製の）前面板
２２    走査電極
２３    維持電極
２４    表示電極対
２５，３３    誘電体層
２６    保護層
３１    背面板
３２    データ電極
３４    隔壁
３５    蛍光体層
４１    画像信号処理回路
４２    データ電極駆動回路
４３，４６    走査電極駆動回路
４４    維持電極駆動回路
４５，５７    タイミング発生回路
４７    部分点灯率検出回路
４８    点灯率比較回路
４９    ＡＰＬ検出回路
５０，５６    走査パルス発生回路
５１    初期化波形発生回路
５２    維持パルス発生回路
５３，５４    ミラー積分回路
５５    走査ＩＣ
６０    走査ＩＣ切換え回路
６１    ＳＩＤ発生回路
６２    ＦＦ（フリップフロップ回路）
６３    遅延回路
６４    アンドゲート
７２    スイッチ
ＣＰ１，ＣＰ２    比較器
Ｑ１，Ｑ２，Ｑ４，Ｑ５，ＱＨ１〜ＱＨｎ，ＱＬ１〜ＱＬｎ，ＳＷ１，ＳＷ２，ＳＷ３    スイッチング素子
Ｒ１，Ｒ２    抵抗
Ｃ１，Ｃ２，Ｃ３１    コンデンサ
Ｄ３１    ダイオード
ＯＲ    オアゲート
ＡＧ    アンドゲート
【図１】
2010107806.tif 000003
【図２】
2010107806.tif 000004
【図３】
2010107806.tif 000005
【図４】
2010107806.tif 000006
【図５】
2010107806.tif 000007
【図６】
2010107806.tif 000008
【図７】
2010107806.tif 000009
【図８】
2010107806.tif 000010
【図９】
2010107806.tif 000011
【図１０】
2010107806.tif 000012
【図１１】
2010107806.tif 000013
【図１２】
2010107806.tif 000014
【図１３】
2010107806.tif 000015
【図１４】
2010107806.tif 000016
【図１５】
2010107806.tif 000017
【図１６】
2010107806.tif 000018
【図１７】
2010107806.tif 000019
【図１８】
2010107806.tif 000020
【図１９】
2010107806.tif 000021
【図２０】
2010107806.tif 000022
【図２１】
2010107806.tif 000023
【図２２】
2010107806.tif 000024
【図２３】
2010107806.tif 000025